(57)【要約】【課題】フリーズ機能を好適に利用することにより、遊技者の遊技興趣を大きく盛り上げることができるような回胴式遊技機を提供する。【解決手段】複数回の遊技に亘る特殊期間に行われる遊技の結果である所定の遊技役の入賞回数等の特殊結果を把握し、把握した特殊結果に基づいてフリーズ状態の態様を設定する。そして、該設定した態様でフリーズ状態を発生させるとともに、発生させたフリーズ状態の態様に応じた特典を遊技者に対して付与する。【選択図】図２７
2014028206.tif 000002
【特許請求の範囲】
【請求項１】
遊技媒体を用いて賭数を設定することにより遊技が開始可能となり、複数の回胴の回転
が停止することにより１回の遊技の結果が導出される回胴式遊技機において、
遊技の進行が所定時間遅延される遅延状態を発生させる遅延状態発生手段と、
前記遅延状態が発生することで、所定の特典を付与する特典付与手段とを備え、
前記遅延状態発生手段は、特定の条件が成立してから所定回数目の遊技で前記遅延状態
を発生可能であり、前記特定の条件が成立してから前記所定回数目の遊技が行われるまで
の遊技の内容によって、前記遅延状態を発生させる場合と、発生させない場合とがあるこ
とを特徴とする回胴式遊技機。
【請求項２】
請求項１に記載の回胴式遊技機において、
前記特定の条件が成立してから前記所定回数目の遊技が行われるまでに、前記遅延状態
の発生可能性を示唆する演出を実行する演出実行手段を備えることを特徴とする回胴式遊
技機。
【発明の詳細な説明】
【技術分野】
【０００１】
本発明は、外周面に複数種類の図柄が描かれた複数の回胴を回転させ、該複数の回胴が
停止したときの図柄組合せに応じて、所定の特典が遊技者に付与される遊技を行う回胴式
遊技機に関する。
【背景技術】
【０００２】
複数種類の図柄が描かれた複数の回胴を回転させ、所定の図柄組合せが揃うように各回
胴を停止させる遊技を行う回胴式遊技機が広く知られている。こうした回胴式遊技機では
、遊技メダル等の遊技媒体を投入（ベット）してスタートレバー等の回転開始部材を操作
すると、全回胴の回転を開始するとともに、予め内部抽選を行って何れの遊技役を内部当
選させるか、あるいは何れも内部当選させないかを決定する。次に、遊技者が各回胴に設
けられた停止ボタン等の回転停止部材を操作することによって回胴を停止させ、その時に
、内部当選した遊技役に対応する図柄組合せが停止表示された場合には、遊技役の入賞が
成立して、遊技役に応じた枚数の遊技媒体が払い出されるようになっている。
【０００３】
こうした回胴式遊技機では、遊技が単調になってしまうことを避けるために、特典の付
与を示唆する演出を種々の態様で行っている。該演出の一つとして、遊技を進行させるた
めの遊技機能（例えば、上述の回胴の回転を開始させる機能や、遊技媒体を払い出す機能
等）を所定の期間だけ機能停止させる機能停止状態（いわゆる「フリーズ状態」）を用い
た演出が知られている。例えば、遊技進行過程でフリーズ状態を発生させて遊技の進行を
一時的に停止させることで、その後に何らかの特典（遊技媒体の払出しや有利な遊技状態
への移行等）が付与されることを遊技者に報知することが一般的である。このようにフリ
ーズ状態を用いることにより、単に画像や音声だけの演出を行うよりも、特典付与を遊技
者に強く印象付けることができる（特許文献１）。
【先行技術文献】
【特許文献】
【０００４】
【特許文献１】特開２００６−０００２１７号公報
【発明の概要】
【発明が解決しようとする課題】
【０００５】
しかし、従来の技術では、フリーズ状態を活用して遊技者の遊技興趣を十分に高めてい
るとは言い難いという問題がある。すなわち、フリーズ状態は、１回の遊技内で完結する
ものであり、直ぐに終了してしまう。このため、遊技者の遊技興趣が高められるのは１回
の遊技だけに過ぎず、複数回の遊技に亘って継続して遊技興趣を高めることができなかっ
た。
【０００６】
本発明は、従来の技術における上述した課題を解決するためになされたものであり、フ
リーズ状態を用いて効果的に遊技者の遊技興趣を盛り上げることのできる回胴式遊技機の
提供を目的とする。
【課題を解決するための手段】
【０００７】
上述した課題の少なくとも一部を解決するために、本発明の回胴式遊技機は次の構成を
採用した。すなわち、
遊技媒体を用いて賭数を設定することにより遊技が開始可能となり、複数の回胴の回転
が停止することにより１回の遊技の結果が導出される回胴式遊技機において、
遊技の進行が所定時間遅延される遅延状態を発生させる遅延状態発生手段と、
前記遅延状態が発生することで、所定の特典を付与する特典付与手段とを備え、
前記遅延状態発生手段は、特定の条件が成立してから所定回数目の遊技で前記遅延状態
を発生可能であり、前記特定の条件が成立してから前記所定回数目の遊技が行われるまで
の遊技の内容によって、前記遅延状態を発生させる場合と、発生させない場合とがあるこ
とを特徴とする。
また、前記特定の条件が成立してから前記所定回数目の遊技が行われるまでに、前記遅
延状態の発生可能性を示唆する演出を実行する演出実行手段を備えることを特徴とする。
【０００８】
また、本明細書において参考的に開示する参考発明では、
規定数の遊技媒体の投入を検出した後に回転開始部材の操作を検出すると、複数の図柄
が表示された回胴を通常回転させ、その後に回転停止部材の操作を検出すると、通常回転
している該回胴を停止させることによって、１回の遊技を進行させる回胴式遊技機におい
て、
前記遊技を進行させるための遊技機能が所定時間に亘って機能停止する機能停止状態を
発生させる機能停止状態発生手段と、
前記機能停止状態の発生時間に応じて、遊技者に所定の特典を付与する特典付与手段と
、
前記機能停止状態の発生に先立って行われる複数回の遊技に亘り、後に前記機能停止状
態が発生することを認識可能な特殊期間を発生させる特殊期間発生手段と、
前記特殊期間中に行われた前記複数回の遊技の進行結果に基づいて、該特殊期間の終了
後に発生する前記機能停止状態の発生時間を、長さの異なる複数種類の発生時間の何れか
に設定する発生時間設定手段と
を備えることを特徴とする。  
このような参考発明の回胴式遊技機においては、遊技を進行させる遊技機能が一時的に
機能停止するフリーズ状態（機能停止状態）の発生に伴い、遊技者に遊技上の特典が付与
される。また、フリーズ状態発生前に先立って発生する「特殊期間（複数回の遊技）」で
は、その間に行われる各遊技の結果に基づいて、特殊期間終了後に発生するフリーズ状態
の「発生時間」が設定される。このような構成により、特殊期間中に行われる各遊技の結
果によって、後に発生するフリーズ状態の「長さ」が異なることとなり、この「長さの違
い」によって、フリーズ状態に起因する遊技制御（付与する特典内容等）を様々に変化さ
せることができる。例えば、「長さの違い」による遊技制御の変化として、第１の発生時
間を有するフリーズ状態が発生した場合には、所定の特典を付与し、第１の発生時間より
も短い第２の発生時間を有するフリーズ状態が発生した場合には、当該特典を付与しなく
すること等が例示できる。このため、フリーズ状態発生に先立ち、フリーズ状態の発生時
間の設定に係る特殊期間を遊技者に認識可能な態様で発生させることで、フリーズ状態が
発生する前から「所定の特典が付与される条件を満たすフリーズ状態が発生するか」に対
する遊技者の期待感を複数回の遊技に亘って高めることができ、フリーズ状態発生までの
遊技興趣を効果的に向上させることができる。
【０００９】
また、「特殊期間中の複数回の遊技の進行結果」としては、遊技者が認識できるような
結果や、遊技者が推測できるような結果にしておくことが望ましい。例えば、特殊期間中
の各遊技における、所定の遊技役の内部当選結果や入賞成立結果、あるいは遊技役の内部
抽選とは別の抽選の結果、遊技媒体の払い出し量、遊技媒体の使用量（消費量）等を示す
ことができる。このようにすることで、フリーズ状態の発生に先立つ特殊期間中の遊技進
行に応じて、遊技者がフリーズ状態の発生時間を認識あるいは推測する楽しみを付加でき
、フリーズ状態発生前からの複数回の遊技に亘り、効果的に遊技者の興趣を高めることが
できる。
【００１０】
また、「遊技を進行させるための遊技機能」としては、（ａ）規定数の遊技媒体の投入
を検出する「投入検出機能」、（ｂ）回転開始部材の操作を検出する「開始部材操作検出
機能」、（ｃ）複数の図柄が表示された回胴を回転（通常回転）させる「回胴回転機能」
、（ｄ）回転停止部材の操作を検出する「停止部材操作検出機能」、（ｅ）回転している
回胴を停止させる「回胴停止機能」、（ｆ）回胴の停止後に所定数の遊技媒体を払い出す
場合に作動する「遊技媒体払出機能」等があり、上述した（ａ）〜（ｆ）の各遊技機能を
所定の順序で次々と実行することによって遊技が進行する。従って、これら（ａ）〜（ｆ
）の各遊技機能のいずれかが機能停止することで、遊技者が操作を行ったにも拘わらず、
遊技媒体の投入が検出されなかったり、回胴の回転開始や停止が行われなかったりして、
一時的に遊技の進行が停止することになるので、遊技者の注目を強く引き付けることにな
る。なお、参考発明において「遊技機能が機能停止する」とは、「特定の遊技機能（回胴
を回転させる機能等）が全く作動（可動）しないこと」又は「特定の遊技機能（回胴を回
転させる機能等）が正規の遊技進行動作（通常回転）と異なる動作（逆回転等）で作動（
可動）し、その間は遊技者の意思で遊技が進行できなくなること」を含むものであり、例
えば、「回胴が通常回転でなく特殊回転で回転することで遊技の進行が停止する」ことも
含まれる。
【００１１】
尚、「開始部材操作検出機能」が機能停止した場合は、回転開始部材の操作を検出でき
ないので、回胴の回転を開始させるには、「開始部材操作検出機能」の機能停止が解除さ
れてから、回転開始部材の操作検出を行う必要がある。これに対して、「回胴回転機能」
が機能停止した場合は回胴開始部材の操作検出が行われてから所定の時間だけ回胴を回転
（通常回転）させる機能が停止しているだけであるので、「回胴回転機能」が解除された
ら、再度回胴開始部材の操作検出を行わなくても、回胴が回転（通常回転）を開始するよ
うにしてもよい。また、「停止部材操作検出機能」が機能停止した場合は、回転停止部材
の操作を検出できないので、回胴の回転を停止させるには、「停止部材操作検出機能」の
機能停止が解除されてから、回転停止部材の操作検出を行う必要がある。これに対して、
「回胴停止機能」が機能停止した場合は回胴停止部材の操作検出が行われてから所定の時
間だけ回胴を停止させる機能が停止しているだけであるので、「回胴停止機能」が解除さ
れたら、再度回胴停止部材の操作検出を行わなくても、回胴が回転を停止するようにして
もよい。
【００１２】
また、「特典」としては、「フリーズ状態の発生中にのみ遊技者が見ることのできる特
別な演出表示を行うこと」や、「通常の遊技状態よりも遊技者にとって有利な高利益遊技
状態へ移行すること」や、「高利益遊技状態へ移行する可能性の高まるチャンス遊技状態
に移行すること」等が挙げられる。また、高利益遊技状態としては、少なくとも通常の遊
技状態よりも遊技者の所有する遊技媒体量が減り難くなる遊技状態であれば良く、遊技媒
体の払出頻度が通常の遊技状態よりも高いボーナス遊技状態（ビッグボーナス遊技状態、
レギュラーボーナス遊技状態、チャレンジボーナス遊技状態）であったり、遊技媒体の獲
得可能性が通常の遊技状態よりも高いアシストタイム遊技状態（ＡＴ遊技）であったり、
再遊技役の確率が通常の遊技状態より高いリプレイタイム遊技状態（ＲＴ遊技）などとす
ることができる。
【００１３】
また、上述した参考発明の回胴式遊技機において、機能停止状態の発生時間に応じて異
なる特典を遊技者に付与すれば、フリーズ状態の発生時間によって「特典の大きさ」に差
を生じさせることができ、フリーズ状態の発生に先立つ特殊期間中に「フリーズ状態の発
生時間として、有利な特典に対応する発生時間が設定されるか」に遊技者を注目させる遊
技性を実現できる。この結果、複数回の遊技に亘りフリーズ状態の発生時間に対する遊技
者の期待感を持続させることが可能となり、遊技者の遊技興趣を効果的に高めることがで
きる。なお、ここでいう「特典の大きさ」としては、上述した「フリーズ状態の発生中に
のみ遊技者が見ることのできる特別な演出表示の種類のプレミア度の違い」や、「高利益
遊技状態チャンス遊技状態に移行する確率の高低差」や「高利益遊技状態チャンス遊技状
態の発生期間の長短差」等が挙げられる。
【００１４】
また、上述した参考発明の回胴式遊技機は、
前記発生時間設定手段は、前記特殊期間中の各遊技毎に所定の時間を決定し、各遊技で
決定された時間の演算結果に基づいて、前記機能停止状態の発生時間を設定するものであ
って、
前記特殊期間中に遊技が行われる毎に、当該遊技で決定された時間を遊技者に対して報
知する決定時間報知手段を備えることとしてもよい。
【００１５】
このような参考発明の回胴式遊技機においては、特殊期間中の各遊技毎に決定される「
時間」の演算結果（加算結果、減算結果等）に応じて、フリーズ状態の発生時間が設定さ
れ、さらに、各遊技毎に決定された「時間」を遊技者に対して報知することにより、フリ
ーズ状態の発生時間が定まっていく過程を遊技者に推測または認識させることができる。
従って、特殊期間中に、「何れの発生時間のフリーズ状態が発生するか」に対する期待感
を徐々に高揚させることができ、フリーズ発生前の遊技興趣を効果的に高めることが可能
となる。
【００１６】
また、上述した参考発明の回胴式遊技機においては、
前記発生時間設定手段によって設定された発生時間に亘って前記機能停止状態を発生さ
せるか否かを決定する発生可否決定手段を備え、
前記機能停止状態発生手段は、
前記発生可否決定手段が前記機能停止状態を発生させないと決定した場合に、前記発生
時間設定手段によって設定された発生時間に亘って前記機能停止状態を発生させず、
前記発生可否決定手段が前記機能停止状態を発生させると決定した場合に、前記発生時
間設定手段によって設定された発生時間に亘って前記機能停止状態を発生させることとし
てもよい。
【００１７】
このような参考発明の回胴式遊技機においては、発生時間設定手段によってフリーズ状
態の発生時間が設定されたとしても、該設定した発生時間に拘らず、発生可否抽選手段に
よる抽選の結果に応じてフリーズ状態を発生させるか否かが決定する。これにより、遊技
者に対して、特殊期間終了後のフリーズ状態が発生する瞬間に（フリーズ状態が発生する
か否かに）注目を引き付けることができるとともに、実際にフリーズ状態が発生した場合
は遊技者に高揚感を与えることができ、遊技者の遊技興趣を高めることが可能となる。
【発明の効果】
【００１８】
本発明によれば、フリーズ状態を用いて効果的に遊技者の遊技興趣を盛り上げることの
できる回胴式遊技機を提供することができる。
【図面の簡単な説明】
【００１９】
【図１】第１実施例の回動式遊技機の外観を示す正面図である。
【図２】第１実施例の前面扉を開いて遊技機の内部の構成を示した斜視図である。
【図３】第１実施例の３つの回胴の外周面に表示された図柄の配列を示す説明図である。
【図４】第１実施例の回動式遊技機の電気的構成を示す説明図である。
【図５】第１実施例の遊技機に設定されている入賞ラインを示した説明図である。
【図６】第１実施例の回動式遊技機に設定されている遊技役を、遊技役の入賞を成立させる図柄組合せ、および入賞成立によって付与される特典と対応付けて示した説明図である。
【図７】第１実施例の回動式遊技機において主制御基板が遊技の進行を制御するために行う遊技制御処理の前半部分を示すフローチャートである。
【図８】第１実施例の回動式遊技機において主制御基板が行う遊技制御処理の後半部分を示すフローチャートである。
【図９】第１実施例の通常遊技用抽選テーブルを概念的に示した説明図である。
【図１０】第１実施例の内部当選フラグの構成を例示した説明図である。
【図１１】第１実施例の遊技状態フラグの構成を例示した説明図である。
【図１２】第１実施例の回胴回転停止処理を示すフローチャートである。
【図１３】第１実施例の回胴停止制御処理を示すフローチャートである。
【図１４】第１実施例の第１停止テーブルの１つを例示した説明図である。
【図１５】第１回胴として左回胴を停止する様子を例示した説明図である。
【図１６】第１実施例の第１停止テーブルと第２停止テーブルとの関係を示した説明図である。
【図１７】第１実施例のベル小役Ａ〜Ｆ用停止処理を示すフローチャートである。
【図１８】第１実施例の遊技状態設定処理を示すフローチャートである。
【図１９】第１実施例のＢＢ遊技用抽選テーブルを概念的に示した説明図である。
【図２０】第１実施例のスイカ小役入賞時処理を示すフローチャートである。
【図２１】第１実施例の特殊期間計数処理を示すフローチャートである。
【図２２】第１実施例の再遊技役入賞時処理を示すフローチャートである。
【図２３】第１実施例の回胴フリーズ処理を示す説明図である。
【図２４】第１実施例の各フリーズを説明するための説明図である。
【図２５】第１実施例の演出制御処理の前半部分を示すフローチャートである。
【図２６】第１実施例の演出制御処理の後半部分を示すフローチャートである。
【図２７】第１実施例の特殊期間の後にフリーズが発生して特典が付与されるまでの様子を例示した説明図である。
【図２８】第２実施例の回胴フリーズ処理を示すフローチャートである。
【図２９】第２実施例のフリーズ決定処理を示すフローチャートである。
【図３０】第２実施例のフリーズ時間抽選テーブルを概念的に示した説明図である。
【図３１】第２実施例のフリーズ動作抽選テーブルを概念的に示した説明図である。
【図３２】第２実施例の演出制御処理を示すフローチャートである。
【図３３】第２実施例のフリーズ態様に対応させてＡＴ遊技回数が設定されたＡＴ遊技回数設定テーブルを概念的に示す説明図である。
【図３４】別例のフリーズ決定処理を示すフローチャートである。
【発明を実施するための形態】
【００２０】
以下では、上述した本願発明の内容を明確にするために、次のような順序に従って実施
例を説明する。
Ａ．第１実施例：
Ａ−１．回胴式遊技機の装置構成：
Ａ−１−１．全体構成：
Ａ−１−２．電気的構成：
Ａ−２．第１実施例の遊技の概要：
Ａ−３．第１実施例の制御内容：
Ａ−３−１．遊技制御処理：
Ａ−３−２．回胴回転停止処理：
Ａ−３−３．遊技状態設定処理：
Ａ−３−４．第１実施例の回胴をフリーズさせるための処理：
Ａ−４．第１実施例の演出制御処理：
Ａ−５．第１実施例によって得られる遊技性：
Ｂ．第２実施例：
Ｂ−１．第２実施例の回胴をフリーズさせるための処理：
Ｂ−２．第２実施例の演出制御処理：
Ｃ．変形例：
【００２１】
Ａ．第１実施例  ：
Ａ−１．回胴式遊技機の装置構成  ：
Ａ−１−１．全体構成  ：
図１は、回胴式遊技機１（以下、「遊技機１」と略記）の外観を示す正面図である。図
１に示すように、遊技機１には、箱状に形成された筐体３と、筐体３の前面側を覆うよう
にして設けられた前面扉２などが設けられている。前面扉２は、実際に遊技が行われる中
段の領域と、遊技の進行に応じて種々の演出が行われる上段の領域２ｕと、遊技メダルが
払い出される下段の領域２ｄとの大きく３つの領域から構成され、更に中段の領域は、遊
技の状態を表示するための遊技状態表示部２ｍａと、遊技を行うための操作部２ｍｂとか
ら構成されている。
【００２２】
上段の領域２ｕには、中央に演出表示装置１０が設けられ、演出表示装置１０の左右に
はスピーカ１４が設けられ、演出表示装置１０およびスピーカ１４の上方には、各種のラ
ンプ類１２が設けられている。演出表示装置１０は、いわゆる液晶表示装置によって構成
されており、遊技の進行状況に合わせて種々の図柄を表示して演出を行うことが可能とな
っている。
【００２３】
前面扉２の中段に設けられた遊技状態表示部２ｍａの中央には、大きな表示窓２０が設
けられており、内部に設けられた３つの回胴２０ａ，２０ｂ，２０ｃが回転する様子を視
認可能となっている。また、表示窓２０の左右および下方には、遊技の状態を表示する各
種の表示パネル類２２が設けられている。
【００２４】
前面扉２の中段下方に設けられた操作部２ｍｂは、手前に向かって突出した形状に形成
されており、上面には、遊技メダルを投入するための遊技メダル投入口３０と、クレジッ
トとして貯留されている遊技メダルを、１ゲームに要する枚数だけ投入するための投入ボ
タン３４などが設けられている。尚、遊技メダルの貯留とは、遊技メダル投入口３０に投
入された遊技メダルの枚数が規定枚数（１ゲームに要する遊技メダル枚数の上限）を超え
た場合にその超えた分をデータとして記憶しておくこと、あるいは、遊技メダルを実際に
払い出す代わりにメダルの払い出し枚数をデータとして記憶しておくことをいう。また、
操作部２ｍｂの前面には、遊技メダルの投入後に回胴２０ａ，２０ｂ，２０ｃの回転を開
始するためのスタートレバー３６と、３つの回胴２０ａ，２０ｂ，２０ｃの回転をそれぞ
れ停止させるための回胴停止ボタン３８ａ，３８ｂ，３８ｃなどが設けられている。
【００２５】
加えて、操作部２ｍｂには、上面に精算ボタン４０、および前面に返却ボタン４２が設
けられている。ここで、精算ボタン４０とは、遊技機１の内部に貯留されている遊技メダ
ルを外部に払い出す際に操作するボタンである。遊技メダルの投入後も、スタートレバー
３６を操作して回胴２０ａ，２０ｂ，２０ｃの回転を開始するまでの間であれば、投入済
みの遊技メダルも精算ボタン４０を操作することによって払い出すことが可能である。ま
た、返却ボタン４２とは、投入した遊技メダルが遊技機１の内部で詰まった場合に、メダ
ルの詰まりを解消するために操作されるボタンである。
【００２６】
前面扉２の下段の領域２ｄには、遊技メダルが払い出される遊技メダル払出口５０と、
払い出された遊技メダルを受け止める受け皿５２などが設けられている。
【００２７】
図２は、前面扉２を開いて遊技機１の内部の構成を示した斜視図である。前面扉２の裏
面側上部には、演出表示装置１０が取り付けられており、その左右には一対のスピーカ１
４が取り付けられている。
【００２８】
前面扉２のほぼ中央には表示窓２０が設けられており、その下方には、後述する扉基板
２４０が設けられている。また、扉基板２４０の下方には、回胴停止ボタン３８ａ，３８
ｂ，３８ｃや、スタートレバー３６が取り付けられている。
【００２９】
回胴停止ボタン３８ａ，３８ｂ，３８ｃの左方には、投入された遊技メダルの通路とな
るメダルセレクタ１０６が設けられており、その下方には、遊技メダルを遊技メダル払出
口５０に導くためのコインシュータ１０８などが設けられている。メダルセレクタ１０６
は、遊技メダル投入口３０から投入された遊技メダルを主に寸法に基づいて選別し、規格
寸法に適合した遊技メダルだけを受け入れる機能を有している。遊技者がスタートレバー
３６を操作する前に遊技メダルを投入すると、遊技メダルはメダルセレクタ１０６によっ
て選別され、規格を満足しているものだけがホッパー１１６内に投入され、規格を満たし
ていないメダルは、コインシュータ１０８を通って、遊技メダル払出口５０に返却される
ようになっている。
【００３０】
これに対して、スタートレバー３６が操作された後に遊技メダルが投入された場合は、
メダルセレクタ１０６内の通路が切り換わり、投入された遊技メダルはコインシュータ１
０８を通って、遊技メダル払出口５０に返却される。また、メダルセレクタ１０６の内部
には、図示しないメダルセンサが設けられており、寸法規格を満たして受け入れられた遊
技メダルが通過すると、メダルセンサによって検出されて、その信号が後述する主制御基
板２００に供給されるようになっている。
【００３１】
このような前面扉２が取り付けられる筐体３のほぼ中央には、３つの回胴２０ａ，２０
ｂ，２０ｃが設けられており、各回胴の外周面には、後述するように複数種類の図柄が描
かれている。これら回胴の上方には、遊技全体の制御を司る後述する主制御基板２００が
格納された主制御基板ユニット１１０が設けられており、回胴の背後には、各回胴を駆動
するための後述する回胴基板２６０が格納された回胴基板ユニット１１２が設けられてい
る。また、回胴の左方には、図１に示した演出表示装置１０や、各種ランプ類１２、スピ
ーカ１４などを用いて行われる各種演出の制御を司る後述するサブ制御基板２２０が格納
されたサブ制御基板ユニット１１１が設けられている。
【００３２】
３つの回胴２０ａ，２０ｂ，２０ｃの下方には、リアスピーカ１１４が設けられ、更に
その下方には、投入された遊技メダルが集められるホッパー１１６や、遊技メダルを払い
出すメダル払出装置１１８、遊技機１全体に電源を供給するための後述する電源基板２８
０が格納された電源ユニット１２０などが搭載されている。メダル払出装置１１８から払
い出された遊技メダルは、コインシュータ１０８を通って、遊技メダル払出口５０から払
い出されるようになっている。また、電源ユニット１２０の前面には、遊技機１の電源を
投入するための電源スイッチ１２０ｓも設けられている。
【００３３】
図３は、３つの回胴２０ａ，２０ｂ，２０ｃの外周面に描かれた図柄の配列を示す説明
図である。各回胴には、何れも２１個の図柄が外周面に描かれている。また、何れの回胴
についても、描かれている図柄の種類は同じであるが、図柄の配列については回胴毎に異
なる配列に設定されている。
【００３４】
Ａ−１−２．電気的構成  ：
図４は、本実施例に係る遊技機１の電気的構成を示す説明図である。図４に示すように
、遊技機１には、主制御基板２００を中心として、サブ制御基板２２０、扉基板２４０、
回胴基板２６０、電源基板２８０、中継基板３００等がデータを通信可能に接続されて構
成されている。
【００３５】
主制御基板２００は、遊技機１で行われる遊技全体の進行や演出を司る基板である。こ
の主制御基板２００には、ＣＰＵ２０１、ＲＯＭ２０２、ＲＡＭ２０３などがバスによっ
て互いにデータを通信可能に接続されて搭載されており、前面扉２に搭載された扉基板２
４０から、スタートレバー３６が操作されたことを示す信号などを受信して、後述する遊
技制御処理を実行しながら、サブ制御基板２２０や、扉基板２４０、回胴基板２６０など
に向かって制御コマンド（あるいは制御信号）を送信することにより、これら各種基板の
動作を制御している。
【００３６】
サブ制御基板２２０も、上述した主制御基板２００と同様に、ＣＰＵ２２１や、ＲＯＭ
２２２、ＲＡＭ２２３などがバスによって互いにデータを通信可能に接続されて構成され
ている。また、サブ制御基板２２０には、各種のランプ類１２や、各種のスピーカ１４，
１１４、演出表示装置１０、回胴バックライト２０Ｌなどが接続されている。ここで回胴
バックライト２０Ｌとは、各回胴２０ａ，２０ｂ，２０ｃの内部に設けられ、回胴の表面
に描かれた図柄（図３参照）を裏側から照らすライトである。サブ制御基板２２０は、主
制御基板２００から受信した制御コマンドを解析して、各種ランプ類１２、各種スピーカ
１４，１１４、演出表示装置１０、回胴バックライト２０Ｌにそれぞれ駆動信号を送信す
ることにより、各種の演出を行っている。
【００３７】
扉基板２４０には、メダルセレクタ１０６や、貯留されている遊技メダルを投入するた
めの投入ボタン３４、回胴の回転を開始するためのスタートレバー３６、回転している回
胴を停止させるための回胴停止ボタン３８ａ，３８ｂ，３８ｃ、貯留されている遊技メダ
ルや投入された遊技メダルを払い出して遊技を終了するための精算ボタン４０、遊技の状
態を表示する各種の表示パネル２２などが接続されている。また、この扉基板２４０は、
前述した主制御基板２００とデータを通信可能に接続されている。このため、前面扉２に
設けられたスタートレバー３６や、回胴停止ボタン３８ａ，３８ｂ，３８ｃ、投入ボタン
３４、精算ボタン４０などを操作すると、扉基板２４０を介して、その信号が主制御基板
２００に供給されるようになっている。また、メダルセレクタ１０６が、内蔵するメダル
センサによって遊技メダルの通過を検出した信号も、扉基板２４０を介して主制御基板２
００に供給される。
【００３８】
回胴基板２６０には、３つの回胴２０ａ，２０ｂ，２０ｃをそれぞれ回転させるための
回胴モータ２４ａ，２４ｂ，２４ｃと、それぞれの回胴の回転位置を検出するための回胴
センサ２６ａ，２６ｂ，２６ｃなどが接続されている。回胴基板２６０は、回胴センサ２
６ａ，２６ｂ，２６ｃによって、各回胴２０ａ，２０ｂ，２０ｃの回転位置を検出しなが
ら、回胴モータ２４ａ，２４ｂ，２４ｃを駆動することにより、それぞれの回胴２０ａ，
２０ｂ，２０ｃを、所望の位置で停止させることが可能となっている。尚、本実施例の遊
技機１では、回胴モータ２４ａ，２４ｂ，２４ｃには、いわゆるステッピングモータが使
用されている。
【００３９】
また、メダル払出装置１１８は、中継基板３００を介して、主制御基板２００に接続さ
れており、主制御基板２００からの制御信号に基づいて、所定枚数の遊技メダルを払い出
す動作を行う。
【００４０】
これら各種制御基板、および基板で消費される電力は、電源基板２８０から供給されて
いる。図４では、電源基板２８０から電力が供給される様子を破線の矢印で表している。
図示されているように、主制御基板２００およびサブ制御基板２２０には、電源基板２８
０から直接電力が供給されており、各種基板（扉基板２４０、回胴基板２６０、中継基板
３００）には、主制御基板２００を介して電力が供給されている。電源基板２８０には１
００Ｖの交流電圧が供給されており、この電力を規定電圧の直流電圧に変換した後、それ
ぞれの制御基板および基板に供給している。
【００４１】
Ａ−２．第１実施例の遊技の概要  ：
以下では、上述の構成を有する回胴式の遊技機１において、遊技を進行するために行わ
れる制御の内容について説明するが、その準備として、回胴式遊技機で行われる遊技の概
要を説明しておく。
【００４２】
遊技を開始するにあたっては、遊技メダル投入口３０から遊技メダルを投入して、遊技
を開始するに必要な枚数（規定枚数）の遊技メダルのベットを行う。本実施例の遊技機１
では、規定枚数は「３枚」に固定されており、３枚の遊技メダルをベットすると、スター
トレバー３６の操作が有効化される。また、遊技メダルがクレジットとして予め内部に貯
留されている場合は、投入ボタン３４を押すことによって規定枚数の遊技メダルをベット
することも可能である。
【００４３】
規定枚数の遊技メダルをベットして、スタートレバー３６を操作すると、３つの回胴２
０ａ，２０ｂ，２０ｃが回転を開始する。図３を用いて前述したように、各回胴には複数
の図柄が描かれているため、回胴が回転すると、表示窓２０では、これら図柄が変動表示
されることになる。また、図１を用いて前述したように、前面扉２の前面側には、各回胴
に対応して３つの回胴停止ボタン３８ａ，３８ｂ，３８ｃが設けられている。回胴２０ａ
，２０ｂ，２０ｃの回転中に回胴停止ボタン３８ａ，３８ｂ，３８ｃを押すと、押したボ
タンに対応する回胴が回転を停止し、これに伴って、表示窓２０では、変動表示されてい
た図柄が何れかの図柄で停止表示される。このようにして、３つの回胴２０ａ，２０ｂ，
２０ｃの回転を停止させると、それぞれの回胴で何れかの図柄が停止表示される。本実施
例の遊技機１では、表示窓２０の大きさは、各回胴あたり３つずつ、図柄が表示されるよ
うな大きさに設定されている。結局、３つの回胴２０ａ，２０ｂ，２０ｃが停止表示され
ると、表示窓２０には、３行３列の合計９つの図柄が表示されるようになる。また、これ
ら９つの図柄が表示される位置には、複数本の入賞ラインが予め設定されている。
【００４４】
図５は、本実施例の遊技機１に設定されている入賞ラインを示した説明図である。図示
されているように、本実施例の遊技機１では、上段の入賞ラインＬ１と、中段の入賞ライ
ンＬ２と、下段の入賞ラインＬ３と、右斜め上方向きの入賞ラインＬ４と、右斜め下方向
きの入賞ラインＬ５の合計５本の入賞ラインが設定されている。そして、３つの回胴２０
ａ，２０ｂ，２０ｃが停止すると、これらの入賞ライン上には、何某かの図柄組合せが得
られることになる。そして、入賞ライン上に揃った図柄組合せが、何れかの遊技役に対応
する図柄組合せであった場合には、その遊技役の入賞が成立し、遊技役に応じた特典が遊
技者に付与される。
【００４５】
図６は、本実施例の遊技機１に設定されている遊技役の種類を、その遊技役の入賞を成
立させる図柄組合せ、および遊技役の入賞が成立したときに遊技者に付与される特典と対
応付けて示した説明図である。図６では、左端の欄に遊技役の種類が表示され、中央の欄
には遊技役の入賞を成立させる図柄組合せが表示され、右端の欄には遊技役の入賞が成立
したときに遊技者に付与される特典が表示されている。例えば、最上段に示したビッグボ
ーナス役（以下、ＢＢ役）と呼ばれる遊技役には、「赤セブン」と呼ばれる図柄の揃った
図柄組合せ、あるいは「青セブン」と呼ばれる図柄の揃った図柄組合せが対応付けられて
おり、何れかの図柄組合せで揃うと、特典として、遊技者にとって通常の遊技状態より有
利なビッグボーナス遊技（ＢＢ遊技）と呼ばれる遊技状態が開始される。尚、本実施例の
遊技機１では、「赤セブン」の図柄で入賞が成立したＢＢ役を「赤７のＢＢ役」と呼び、
「青セブン」の図柄で入賞が成立したＢＢ役を「青７のＢＢ役」と呼んで区別する。
【００４６】
本実施例のＢＢ遊技は、特典として遊技メダルが払い出される遊技役の種類が通常の遊
技状態（以下、通常遊技）に比べて増加し、その増加した遊技役（増加役）の入賞が高い
確率で成立する遊技状態であり、ＢＢ遊技の開始後に所定枚数（例えば、４００枚）の遊
技メダルが払い出されるまで継続される。そのため、ＢＢ遊技が開始されると、遊技者は
多量の遊技メダルを獲得することができる。本実施例では、増加役には、左回胴２０ａが
「リプレイ」の図柄、中回胴２０ｂが「ベル」の図柄、右回胴２０ｃが「リプレイ」の図
柄の組合せ（以下では、「リプレイ」−「ベル」−「リプレイ」と表記する）が対応付け
られており、特典として、１５枚の遊技メダルが遊技者に払い出されるように設定されて
いる。
【００４７】
また、いわゆる「小役」と呼ばれる遊技役も設けられている。先ず、スイカの小役とい
う遊技役には、３つの回胴２０ａ，２０ｂ，２０ｃが何れも「スイカ」の図柄で揃った図
柄組合せが設定されており、特典として、１０枚の遊技メダルが遊技者に払い出されるよ
うに設定されている。次に、チェリーの小役という遊技役には、左回胴２０ａの図柄が「
チェリー」の図柄であれば、中回胴２０ｂおよび右回胴２０ｃの図柄はどのような図柄で
あっても構わない図柄組合せが設定されており、特典として、２枚の遊技メダルが払い出
されるように設定されている。そして、再遊技役という遊技役には、３つの回胴２０ａ，
２０ｂ，２０ｃが何れも「リプレイ」の図柄で揃った図柄組合せが設定されており、この
リプレイの小役の入賞成立に対する特典としては、新たな遊技メダルをベットすることな
く、もう一度、遊技を行う権利が付与される。すなわち、再遊技役の入賞成立時にベット
していた遊技メダルと同じ枚数だけ、遊技メダルがベットされたものとして、もう一度遊
技を行うことが可能となる。
【００４８】
また、本実施例の遊技機１には、ベルの小役という遊技役が設けられている。ベルの小
役という遊技役には、３つの回胴２０ａ，２０ｂ，２０ｃが何れも「ベル」の図柄で揃っ
た図柄組合せが設定されており、このベルの小役の入賞成立に対する特典としては、１５
枚の遊技メダルが遊技者に払い出されるように設定されている。尚、詳しくは後述するが
、ベルの小役は、ＢＢ遊技中に抽選されるものと、ＢＢ遊技中以外で抽選されるものとが
設定されている。ＢＢ遊技中以外に抽選されるベルの小役は、６種類設けられており、各
ベルの小役に対しては、回胴停止ボタン３８ａ，３８ｂ，３８ｃの押し順が互いに異なら
せて設定されている。各ベルの小役は、自己に対応する押し順で回胴停止ボタン３８ａ，
３８ｂ，３８ｃが操作された場合に、「ベル」の図柄が入賞ライン上に揃って入賞が成立
する。尚、ＢＢ遊技中に抽選されるベルの小役は、１種類であり、回胴停止ボタン３８ａ
，３８ｂ，３８ｃをどのような押し順で操作しても、「ベル」の図柄が入賞ライン上に揃
って入賞が成立する。
【００４９】
また、本実施例の遊技機１には、アシストタイム遊技（ＡＴ遊技）と呼ばれる特殊な遊
技状態が設けられており、ＡＴ遊技中は、上記ＢＢ遊技中以外に抽選される各ベルの小役
に対応する回胴停止ボタン３８ａ，３８ｂ，３８ｃの押し順を、演出表示装置１０、スピ
ーカ１４等により報知するように設定されている。そのため、ＡＴ遊技が開始されると、
遊技者はベルの小役が入賞成立する押し順を認識することができ、この押し順どおりに回
胴停止ボタン３８ａ，３８ｂ，３８ｃを操作することにより、ベルの小役の入賞を効率よ
く成立させることができる。また逆に、押し順が報知されない場合は、遊技者は押し順を
認識することができず、ベルの小役の入賞を成立させることが困難になる。
【００５０】
もちろん、回胴２０ａ，２０ｂ，２０ｃが停止したときに、何れかの遊技役の入賞が成
立するとは限らない。この場合は、再び規定枚数の遊技メダルをベットした後、スタート
レバー３６を操作して回胴を回転させることによって、次のゲームを行う。本実施例の遊
技機１では、こうした操作を繰り返し行うことによってゲームが進行するようになってい
る。こうした遊技の進行は、主制御基板２００に搭載されたＣＰＵ２０１によって制御さ
れている。以下では、主制御基板２００のＣＰＵ２０１が遊技の進行を制御するために行
っている処理内容について説明する。
【００５１】
Ａ−３．回胴式遊技機の制御内容  ：
Ａ−３−１．遊技制御処理  ：
図７は、本実施例の遊技機１において主制御基板２００のＣＰＵ２０１が遊技の進行を
制御するために行う遊技制御処理の前半部分を示すフローチャートである。また、図８は
、本実施例の遊技機１において主制御基板２００のＣＰＵ２０１が行う遊技制御処理の後
半部分を示すフローチャートである。この遊技制御処理は、遊技機１に電源が投入され、
更に主制御基板２００や、サブ制御基板２２０に搭載されたＲＯＭのチェックサムなどの
初期化処理が行われた後に実行される処理である。
【００５２】
図７に示すように、遊技制御処理を開始すると、先ず初めに遊技状態設定処理（ステッ
プ１００。以下、ステップを「Ｓ」と略記する）を行う。遊技状態設定処理の詳細につい
ては後述するが、この処理では、大まかには次のような処理を行う。前述したように、本
実施例の遊技機１では、遊技状態として、通常の遊技状態（通常遊技）の他にビッグボー
ナス遊技状態（ＢＢ遊技）が設けられており、遊技状態に応じて遊技役の入賞の成立し易
さや、入賞の成立し得る遊技役の種類等が異なっている。遊技状態設定処理では、現在の
遊技状態が何れであるかを検出するとともに終了条件が満たされたか否かを判断し、終了
条件が満たされた場合には、その遊技状態を終了させて、遊技状態を切り換える処理を行
う。こうして遊技状態を切り換えることで、遊技が単調になることを回避することが可能
となる。
【００５３】
遊技状態設定処理に続いて、主制御基板２００のＣＰＵ２０１は、メダル投入確認処理
を行う（Ｓ１０２）。メダル投入確認処理では、遊技メダル投入口３０から遊技メダルが
投入されたか否か、あるいは遊技メダルがクレジットとして貯留されている場合に、投入
ボタン３４が操作されたか否かを確認する。前述したように、投入された遊技メダルは、
メダルセレクタ１０６に内蔵されたメダルセンサによって検出され、その検出信号が主制
御基板２００に供給される。また、投入ボタン３４を操作した場合には、その操作信号が
主制御基板２００に供給される。主制御基板２００のＣＰＵ２０１は、これらの信号に基
づいて、遊技メダルが投入されたか否かを判断することができる。そして、規定枚数の遊
技メダルが投入されたら、遊技を開始可能な状態になる。尚、投入ボタン３４が操作され
た場合には、遊技メダルの貯留枚数から投入枚数を減算する処理も同時に行われる。
【００５４】
上述のようにして遊技メダルの投入が確認できたら、スタートレバー３６を操作するこ
とによって何時でも遊技を開始することが可能となるが、その前に、精算ボタン４０が操
作されたか否かの確認を行う（Ｓ１０４）。すなわち、遊技メダルをベットした後であっ
ても、スタートレバー３６を操作して回胴２０ａ，２０ｂ，２０ｃを回転させる前であれ
ば、ベットした遊技メダルも含めてメダルを精算することが可能となっている。そして、
精算ボタン４０が操作されていた場合には（Ｓ１０４：ｙｅｓ）、精算処理を行うことに
より、クレジットとして貯留されている遊技メダルおよび投入した遊技メダルを払い出す
処理を行う（Ｓ１０６）。遊技メダルの払い出しは、主制御基板２００からメダル払出装
置１１８に向けて、払い出すべき遊技メダルの枚数を指示する制御信号を送信することに
よって行われる。こうして遊技メダルを払い出したら、遊技の開始前の状態（Ｓ１００）
に戻って、以降の処理を行う。
【００５５】
一方、精算ボタン４０が操作されていない場合には（Ｓ１０４：ｎｏ）、スタートレバ
ー３６が操作されたか否かを判断する（Ｓ１０８）。前述したように遊技者がスタートレ
バー３６を操作すると、その操作信号が主制御基板２００に供給されるので、主制御基板
２００は、スタートレバー３６の操作信号に基づいて、スタートレバー３６が操作された
か否かを判断することができる。そして、スタートレバー３６が操作されていない場合は
（Ｓ１０８：ｎｏ）、遊技者が未だ遊技を開始していないものと判断されるので、精算ボ
タン４０の操作の有無を確認しながら（Ｓ１０４）、スタートレバー３６が操作されるま
で待機する。一方、スタートレバー３６が操作されたら（Ｓ１０８：ｙｅｓ）、内部抽選
処理を開始する（Ｓ１１０）。
【００５６】
内部抽選処理では、図６を用いて前述した遊技役の何れかの入賞成立を許容するか否か
を、抽選によって決定する処理を行う。尚、この抽選で何れかの遊技役に当選した（入賞
成立が許容された）としても、直ちに遊技役の入賞が成立するわけではなく、回胴停止ボ
タン３８ａ，３８ｂ，３８ｃを操作することにより、当選した遊技役に対応する図柄組合
せを有効な入賞ライン上に揃えなければ遊技役の入賞を成立させることはできない。また
逆に、抽選で当選した遊技役でなければ、どのようなタイミングで回胴停止ボタン３８ａ
，３８ｂ，３８ｃを操作したとしても、有効な入賞ライン上に対応する図柄組合せを揃え
ることはできないようになっている。その意味で、この抽選は、図柄組合せを揃えて遊技
役の入賞を成立させるための前提条件として、内部的に行われる抽選であることから「内
部抽選」と呼ばれている。また、内部抽選に当選した状態は、内部当選状態（あるいは単
に、内部当選）と呼ばれている。
【００５７】
この内部抽選は、抽選テーブルと呼ばれる専用のテーブルを用いて行われており、この
テーブルには、遊技役と内部抽選用乱数との対応関係が設定されている。ここで内部抽選
用乱数とは、主制御基板２００のＣＰＵ２０１がスタートレバー３６の操作信号を受信し
たときに取得する乱数である。本実施例の遊技機１では、内部抽選用乱数は２バイトデー
タとなっており、０〜６５５３５の範囲の乱数値を取ることが可能である。尚、この抽選
用の乱数は、主制御基板２００に搭載された専用の乱数発生回路を用いてハードウェア的
に生成することもできるし、乱数発生用のプログラムを用いてソフトウェア的に生成する
ことも可能である。
【００５８】
図９は、最も一般的な遊技状態である通常遊技中（ＢＢ遊技中以外）に用いられる抽選
テーブルを概念的に示した説明図である。図９（ａ）には、各遊技役に対して割り当てら
れた乱数の範囲がまとめて示されている。また、図９（ｂ）には、各遊技役に割り当てら
れた乱数範囲の大まかな比率が示されている。図示されているように、通常遊技用の抽選
テーブルでは、「スイカの小役」に対しては「４２００６〜４２２００」の乱数値が設定
されている。これは、取得した乱数値がこの範囲にあった場合には、スイカの小役に内部
当選することを表している。同様に、「チェリーの小役」には「４２２０１〜４２３００
」の乱数値が設定され、「再遊技役」には「４２５０１〜５５０００」の乱数値が設定さ
れている。また、「赤７のＢＢ役」に対しては「４２３０１〜４２４００」の乱数値が設
定され、「青７のＢＢ役」には「４２４０１〜４２５００」の乱数値が設定されている。
【００５９】
更に、ベルの小役としては、回胴停止ボタン３８ａ，３８ｂ，３８ｃの押し順が互いに
異なる「ベルの小役Ａ〜Ｆ」が設定されており、「ベルの小役Ａ〜Ｆ」のそれぞれに乱数
値が設定されている。例えば、押し順「左→中→右」が設定されている「ベルの小役Ａ」
に対しては「０〜７０００」の乱数値が設定され、押し順「左→右→中」が設定されてい
る「ベルの小役Ｂ」に対しては「７００１〜１４００１」の乱数値が設定されている。更
に、押し順「中→左→右」が設定されている「ベルの小役Ｃ」に対しては「１４００２〜
２１００２」の乱数値が設定され、押し順「中→右→左」が設定されている「ベルの小役
Ｄ」に対しては「２１００３〜２８００３」の乱数値が、押し順「右→左→中」が設定さ
れた「ベルの小役Ｅ」に対しては「２８００４〜３５００４」の乱数値が、そして押し順
「右→中→左」が設定された「ベルの小役Ｆ」に対しては「３５００５〜４２００５」の
乱数値が設定されている。「ベルの小役Ａ〜Ｆ」のいずれかに内部当選した場合は、対応
する押し順で回胴停止ボタン３８ａ，３８ｂ，３８ｃが操作されることにより、入賞ライ
ン上に「ベル」の図柄の組合せが揃う。また、「５５００１〜６５５３５」の乱数値には
、何れの遊技役も設定されておらず、従って、取得した乱数値がこの範囲にあった場合は
「ハズレ」となる。
【００６０】
尚、図９に示したように、通常遊技用抽選テーブルには、半分以上の広い乱数範囲に「
ベルの小役（ベル小役）」が設定されており、従って、内部抽選処理では、非常に高い確
率で「ベルの小役Ａ〜Ｆ」の何れかに内部当選する。しかし、上述したように、これらの
ベル小役には固有の押し順が設定されており、内部当選したベル小役に対応する押し順で
回胴停止ボタン３８ａ，３８ｂ，３８ｃを操作しない限り、内部当選したベル小役を入賞
成立させることはできない。しかも遊技者は、何れのベル小役に内部当選しているか（従
って、どの押し順で押せばベル小役を入賞成立させることができるか）は分からない。こ
のため、非常に高い確率でベル小役に内部当選するものの、多くの場合は、そのベル小役
を入賞成立させることができないまま、遊技が進行することになる。
【００６１】
内部抽選処理では、以上のようにして、スタートレバー３６が操作されたことを検出し
て内部抽選用乱数を取得するとともに、抽選テーブルを参照することにより、何れの遊技
役に内部当選したか、若しくは何れの遊技役にも内部当選しなかったかを判断する。そし
て、何れかの遊技役に内部当選したら、当選した遊技役の内部当選フラグをＯＮに設定す
る。ここで内部当選フラグとは、内部抽選の結果を記憶しておくために用いられるフラグ
であり、主制御基板２００に搭載されたＲＡＭ２０３の所定アドレスに設定されている。
【００６２】
図１０は、本実施例の遊技機１における内部当選フラグの構成を例示した説明図である
。図示されているように、本実施例の遊技機１では、小役、再遊技役、増加役についての
内部当選フラグ（小役等内部当選フラグ）と、赤７のＢＢ役、青７のＢＢ役についての内
部当選フラグ（ボーナス役内部当選フラグ）とに分けて記憶されている。また、小役等内
部当選フラグには１バイト（８ビット）分の領域が２つ確保され、ボーナス役内部当選フ
ラグには１バイト（８ビット）分の領域が１つ確保されている。図１０（ａ）は、小役等
内部当選フラグが設定される領域のデータ構造を例示した説明図である。図示されている
ように、小役等内部当選フラグには１バイト分の領域が２つ確保されており、一方の領域
の下位側の４ビット分が小役等内部当選フラグとして用いられている。これら４ビット中
の先頭のビットは、スイカの小役に内部当選したことを記憶しておくためのビットであり
、次のビットはチェリーの小役に内部当選したことを記憶しておくためのビットである。
以下の２つのビットも同様に、それぞれ、再遊技役、増加役に内部当選したことを記憶し
ておくために用いられるビットである。また、２つ確保された１バイト分の領域のうちの
もう一方は、下位側の７ビット分が小役等内部当選フラグとして用いられる。これら７ビ
ット中の先頭のビットは、ＢＢ遊技中に抽選されるベルの小役に内部当選したことを記憶
しておくためのビットである。次の６つのビットは、通常遊技中に抽選されるベルの小役
に内部当選したことを記憶しておくためのビットである。これら６つのビットは、先頭の
ビットから、それぞれベルの小役Ａ、ベルの小役Ｂ、ベルの小役Ｃ、ベルの小役Ｄ、ベル
の小役Ｅ、ベルの小役Ｆに内部当選したことを記憶しておくために用いられている。
【００６３】
また、図１０（ｂ）は、ボーナス役内部当選フラグが設定される１バイト分の領域のデ
ータ構造を例示した説明図である。図示されているように、１バイトデータのうち下位側
の２ビット分がボーナス役内部当選フラグとして用いられている。これら２ビット中の上
位側のビットは、赤７のＢＢ役に内部当選したことを記憶しておくためのビットであり、
下位側のビットは青７のＢＢ役に内部当選したことを記憶しておくためのビットである。
図７に示した内部抽選処理（Ｓ１１０）では、内部抽選用乱数を取得して、抽選テーブル
を参照しながら、何れかの遊技役に内部当選しているか否かを判断し、何れかの遊技役に
内部当選していれば、図１０に示した内部当選フラグの対応するビットに「１」を設定す
る処理を行う。
【００６４】
内部抽選処理を終了すると、主制御基板２００は、サブ制御基板２２０に対して内部抽
選結果伝達コマンドを送信する（図７のＳ１１２）。内部抽選結果伝達コマンドとは、先
の内部抽選処理（Ｓ１１０）で行われた内部抽選の結果（遊技役に当選したか否かの情報
、当選している場合はその遊技役の情報が含まれる）をサブ制御基板２２０に伝達するた
めのコマンドである。詳しくは後述するが、本実施例の遊技機１では、所定の期間中に行
われた内部抽選において所定の遊技役に当選すると、演出表示装置１０、各種ランプ類１
２などを用いた特別な演出によって遊技者に内部当選を報知するようになっている。こう
した演出はサブ制御基板２２０によって制御されていることから、主制御基板２００は、
内部抽選処理を終了すると、その内部抽選結果を記したコマンド（内部抽選結果伝達コマ
ンド）をサブ制御基板２２０に向けて送信する。
【００６５】
内部抽選結果伝達コマンドの送信（Ｓ１１２）を終了すると、回胴フリーズ処理を行う
（Ｓ１１４）。詳しくは後述するが、本実施例の遊技機１は、所定の条件が成立した場合
は、スタートレバー３６が操作されたとしても所定期間が経過するまでは回胴の通常の回
転を開始させない（遊技の進行に必要な機能のひとつである回胴が通常回転する機能（「
回胴回転機能」）を機能停止するフリーズ状態（以下、「フリーズ」とも表記する）を発
生させるようになっている。そのために、回胴フリーズ処理では、後述の回胴を通常回転
させるための回胴回転始動処理に先立って、回胴をフリーズする条件が成立したか否かを
判定する処理、および回胴をフリーズする条件が成立した場合には所定時間が経過するま
で回胴をフリーズする処理を行う。こうして所定時間が経過するまで待機している間は、
たとえ遊技者がスタートレバー３６を操作しても回胴の回転が開始されないので、遊技機
能の機能停止状態（フリーズ状態）が発生することになる。
【００６６】
回胴フリーズ処理を終了すると、主制御基板２００は、続いて回胴回転始動処理を開始
する（Ｓ１１６）。回胴回転始動処理では、所定の条件が満足されているか否かを判断し
て、条件が満たされている場合は、３つの回胴２０ａ，２０ｂ，２０ｃを回転させる処理
（後述のように回胴停止ボタンに対する操作が有効になる回転である「通常回転」を行わ
せる処理）を行う。本実施例の回胴回転始動処理では、スタートレバー３６が操作され、
且つ、前回に回胴２０ａ，２０ｂ，２０ｃの回転が開始されてから所定時間（例えば、４
．１秒）を経過した場合に回胴の回転を開始することとして、各回胴２０ａ，２０ｂ，２
０ｃにそれぞれ設けられた回胴モータ２４ａ，２４ｂ，２４ｃに対して駆動信号を送信す
ることにより、３つの回胴２０ａ，２０ｂ，２０ｃを回転させる。
【００６７】
こうして３つの回胴２０ａ，２０ｂ，２０ｃを回転させたら、主制御基板２００は、回
胴の回転を停止させる処理（回胴回転停止処理）を行う（Ｓ１１８）。回胴回転停止処理
の詳細については後述するが、この処理では、先に行われた内部抽選の結果（何れの遊技
役に内部当選したか否か）や、遊技者によって回胴停止ボタン３８ａ，３８ｂ，３８ｃが
操作されたタイミング、順序、あるいは現在の遊技状態などに基づいて、３つの回胴２０
ａ，２０ｂ，２０ｃのそれぞれの停止位置を決定し、決定した位置で停止させる処理を行
う。
【００６８】
主制御基板２００のＣＰＵ２０１は、３つの回胴２０ａ，２０ｂ，２０ｃを停止させる
と、その停止位置に基づいて何れかの遊技役の入賞が成立したか否かを判断する（Ｓ１２
０）。ここで、「遊技役の入賞が成立する」とは、遊技役に対応する図柄組合せが、入賞
ライン上に揃って停止表示されることをいう。前述したように、本実施例の遊技機１では
、内部抽選処理（Ｓ１１０）で何れかの遊技役に内部当選していても、回胴停止ボタン３
８ａ，３８ｂ，３８ｃを押すタイミング、押す順序によっては、その遊技役に対応する図
柄組合せが入賞ライン上に揃うとは限らない。そこで、主制御基板２００は、回胴の回転
を停止させた後、内部抽選で当選した遊技役の入賞が成立しているか否かを判断する。
【００６９】
尚、本実施例の遊技機１では、前述した内部抽選処理（Ｓ１１０）で何れかのボーナス
役（赤７のＢＢ役または青７のＢＢ役）に当選した場合において、入賞ライン上に対応す
る図柄組合せが停止表示されず、何れのボーナス役の入賞も成立しなかったときに限り、
ボーナス役の内部当選が持ち越され、次回の遊技以降も、そのボーナス役に対応する内部
当選フラグがセットされている状態で遊技が行われる。これに対して、小役や再遊技役等
の他の遊技役に内部当選した場合は、当選した遊技役に対応する図柄組合せを入賞ライン
上に停止表示させることができなければ、その内部当選は次遊技以降に持ち越されること
なくリセットされてしまう。
【００７０】
何れかの遊技役の入賞が成立したと判断された場合は（Ｓ１２０：ｙｅｓ）、先ず初め
に、入賞の成立した遊技役が、ＢＢ役であるか否かを判断する（図８のＳ１２２）。図６
を用いて前述したように、ＢＢ役は、入賞ライン上に「赤セブン」の図柄が揃うか、「青
セブン」の図柄が揃った場合に入賞が成立する遊技役である。そして、ＢＢ役の入賞が成
立したと判断された場合は（Ｓ１２２：ｙｅｓ）、入賞の成立したＢＢ役の種類（「赤７
のＢＢ役」あるいは「青７のＢＢ役」の何れであるか）に応じてＢＢ遊技フラグをＯＮに
設定する（Ｓ１２４）。ここで、ＢＢ遊技フラグとは、遊技状態を、前述したビッグボー
ナス遊技（ＢＢ遊技）と呼ばれる遊技者にとって有利な遊技状態とすることを示すフラグ
であり、現在の遊技状態を表すための「遊技状態フラグ」と呼ばれる専用のフラグの一種
である。こうした遊技状態フラグは、主制御基板２００に搭載されたＲＡＭ２０３の所定
アドレスに設定されている。
【００７１】
図１１は、遊技状態フラグ等が設定される１バイト分の領域のデータ構造を例示した説
明図である。本実施例の遊技機１では、ＲＡＭ２０３上の所定アドレスの１バイトデータ
のうち、最下位のビットを除いた下位側から２ビット分が遊技状態フラグとして用いられ
ている。これら２ビットの先頭のビットが「赤７のＢＢ役」に対応するＢＢ遊技フラグ（
以下、赤７のＢＢ遊技フラグ）に設定されており、その次のビットが「青７のＢＢ役」に
対応するＢＢ遊技フラグ（以下、青７のＢＢ遊技フラグ）に設定されている。Ｓ１２４で
は、入賞の成立したＢＢ役の種類に応じて、何れかのビットに「１」を設定する。Ｓ１２
４の処理が終了すると、特殊カウンタをＯＦＦに設定して特殊カウンタの値に「０」を設
定する（Ｓ１２６）。詳しくは後述するが、本実施例の遊技機１は、回胴をフリーズする
前に（フリーズ状態を発生させる前に）、どのような態様で該フリーズを発生させるかを
決定するための特殊な期間（特殊期間）を設けている。すなわち、特殊期間は複数回の遊
技に亘って設定されており、該特殊期間における遊技の結果に応じて、その後に発生させ
るフリーズの態様を決定している。上述の特殊フラグは、この特殊期間中にＯＮに設定さ
れるフラグであり、主制御基板２００に搭載されているＣＰＵ２０１は、該フラグの状態
に応じて現在が特殊期間中か否かを把握する。また、特殊カウンタは、今回の遊技は、特
殊期間を開始してから何回目の遊技かを、主制御基板２００のＣＰＵ２０１が把握するた
めのカウンタである。特殊フラグおよび特殊カウンタは、主制御基板２００に搭載されて
いるＲＡＭ２０３の所定アドレスにそれぞれの記憶領域が確保されている。本実施例の遊
技機１では特殊期間はＢＢ遊技中には設定しないので、Ｓ１２６の処理では、ＢＢ遊技を
開始するにあたって特殊期間を終了するべく、特殊フラグをＯＦＦに設定して特殊カウン
タの値に「０」を設定する。
【００７２】
Ｓ１２６の処理を終了すると、今度は、再遊技役カウンタに「０」を設定する（Ｓ１２
８）。詳しくは後述するが、本実施例の遊技機１では、特殊期間中に再遊技役の入賞が成
立した回数を計数しており、その回数に応じて上述のフリーズの態様を決定している。再
遊技役カウンタは、主制御基板２００に搭載されているＣＰＵ２０１が、特殊期間中に再
遊技役の入賞が何回成立したかを把握するためのカウンタである。Ｓ１２８の処理では、
特殊期間が終了することを受けて、再遊技役の入賞成立回数をリセットするべく、再遊技
役カウンタの値に「０」を設定する。
【００７３】
こうして、ＢＢ遊技を開始するための一連のフラグ操作およびカウンタ操作の処理を終
了すると（Ｓ１２４〜Ｓ１２８）、主制御基板２００は、サブ制御基板２２０に向けてＢ
Ｂ遊技開始コマンドを送信する（Ｓ１３０）。サブ制御基板２２０のＣＰＵ２２１はＢＢ
遊技開始コマンドを受信することによって、ＢＢ遊技が開始されることを把握する。ＢＢ
遊技開始コマンドを送信（Ｓ１３０）したら、遊技制御処理の先頭に戻って遊技状態設定
処理（Ｓ１００）を開始する。こうしてＢＢ遊技フラグがＯＮにセットされた状態で遊技
制御処理の先頭に戻って遊技状態設定処理（Ｓ１００）を開始すると、ＢＢ遊技フラグが
ＯＮになっていることが検出され、遊技状態がＢＢ遊技に切り換わって、上述した一連の
処理が行われる。Ｓ１００において、ＢＢ遊技フラグに基づいて遊技状態をＢＢ遊技に切
り換える処理の詳細については後述する。
【００７４】
以上では、入賞の成立した遊技役がＢＢ役であった場合（図８のＳ１２２：ｙｅｓ）に
行われる処理について説明したが、入賞の成立した遊技役がＢＢ役ではなかった場合には
（Ｓ１２２：ｎｏ）、今度は、入賞の成立した遊技役が再遊技役か否かを判断する（Ｓ１
３２）。そして、再遊技役の入賞が成立していた場合は（Ｓ１３２：ｙｅｓ）、再遊技フ
ラグをＯＮに設定する（Ｓ１３４）。ここで、再遊技フラグとは、再遊技役の入賞が成立
したことを記憶しておくためのフラグである。この再遊技フラグがＯＮにセットされてい
ると、次回の遊技のメダル投入確認処理（図７のＳ１０２）において、遊技者によって投
入されなくても自動的に遊技メダルが再投入される。また、メダル投入確認処理にて遊技
メダルを自動的に再投入した後は、再遊技フラグの設定はＯＦＦに戻される。このような
再遊技フラグも、前述した遊技状態フラグと同様に、主制御基板２００に搭載されたＲＡ
Ｍ２０３の所定アドレスに設定されている。本実施例の遊技機１では、図１１に示したよ
うに、遊技状態フラグが設定されているビットの下位側のビットが再遊技フラグに設定さ
れている。
【００７５】
再遊技フラグをＯＮに設定したら（Ｓ１３４）、再遊技役入賞時処理を行う（Ｓ１３６
）。詳しくは後述するが、再遊技役入賞時処理では、上述の特殊期間中における再遊技役
の入賞成立回数を計数するための処理を行う。
【００７６】
一方、入賞の成立した遊技役が再遊技役ではなかった場合は（Ｓ１３２：ｎｏ）、今度
は、入賞成立した遊技役がスイカの小役か否かを判断する（Ｓ１３８）。その結果、スイ
カの小役が入賞成立したと判断すると（Ｓ１３８：ｙｅｓ）、スイカ小役入賞時処理を行
う（Ｓ１４０）。詳しくは後述するが、本実施例の遊技機１は、スイカの小役の入賞成立
を契機として上述の特殊期間を開始するように設定されている。スイカ小役入賞時処理で
は、特殊期間を開始するための処理が行われる。
【００７７】
スイカ小役入賞時処理を終了すると（Ｓ１４０）、遊技メダルを払い出す処理を行う（
Ｓ１４２）。また、スイカの小役にも入賞成立していないと判断した場合も（Ｓ１３８：
ｎｏ）、何れかの遊技役の入賞が成立しているものの（図８のＳ１２０：ｙｅｓ）、その
遊技役は、ＢＢ役、再遊技役、スイカの小役の何れでもないことから、スイカの小役以外
の小役または増加役であると判断される。そこで、入賞の成立した遊技役に応じた枚数の
遊技メダルを払い出す処理を行う（Ｓ１４２）。すなわち、入賞の成立した小役がベルの
小役であれば、１５枚の遊技メダルを払い出し、スイカの小役であれば１０枚の遊技メダ
ルを払い出し、チェリーの小役であれば２枚の遊技メダルを払い出す処理を行う。また、
増加役の入賞が成立した場合には、１５枚の遊技メダルを払い出す処理を行う。この処理
は、主制御基板２００の内部で払い出すべき遊技メダルの枚数を求めた後、主制御基板２
００からメダル払出装置１１８に対して制御信号を送信することによって行われる。
【００７８】
こうして遊技メダルを払い出すと、主制御基板２００のＣＰＵ２０１は、払出枚数計数
処理を行う（Ｓ１３６）。前述したように、本実施例のＢＢ遊技は、上限枚数（例えば、
４００枚）の遊技メダルが払い出されると終了するように設定されていることから、ＢＢ
遊技の開始後に払い出された遊技メダルの枚数（払出枚数）を計数しておく必要がある。
そこで、払出枚数計数処理では、先ず、現在の遊技状態がＢＢ遊技であるか否かを判断し
て、ＢＢ遊技中であると判断された場合には、Ｓ１３６の処理で払い出した遊技メダルの
枚数を、既に払い出した枚数（払出枚数）に加算する処理を行う。一方、ＢＢ遊技中では
ないと判断された場合には、払出枚数の加算処理を行うことなく、そのまま払出枚数計数
処理を終了する。
【００７９】
払出枚数計数処理を行ったら、特殊期間計数処理を行う（Ｓ１４６）。詳しくは後述す
るが、特殊期間計数処理は、遊技が行われるたびに毎回行われる処理であり（何れかの遊
技役が入賞成立したか否かに拘らず行われる処理であり）、次回行われる遊技が、前述の
特殊期間が開始してから何回目の遊技に対応するかを計数するための処理を行う。この処
理を行うことによって、主制御基板２００に搭載されているＣＰＵ２０１は、次回の遊技
で、特殊期間が開始されてからの現在の遊技回数を把握することが可能になる。こうして
特殊期間設定処理を行ったら、図７および図８に示した遊技制御処理の先頭に戻って、新
たな遊技を開始する。
【００８０】
Ａ−３−２．回胴回転停止処理  ：
図１２は、本実施例の遊技機１で行われる回胴回転停止処理の流れを示すフローチャー
トである。前述したように、回胴回転停止処理は、主制御基板２００によって、図７およ
び図８に示した遊技制御処理の中で、回胴の通常回転（フリーズとは異なる回転）を始動
させた後に（図７のＳ１１６）、実行される（図７のＳ１１８）。
【００８１】
回胴回転停止処理を開始すると、先ず初めに、この処理に先立って行われた内部抽選（
図７のＳ１１０）の結果に応じて第１停止テーブルを抽出する処理を行う（Ｓ２００）。
ここで、停止テーブルとは、回胴２０ａ，２０ｂ，２０ｃを停止する際に参照する専用の
テーブルである。詳しくは後述するが、遊技者が回胴停止ボタン３８ａ，３８ｂ，３８ｃ
を操作したときに、回胴の外周面に描かれた図柄のうち（図３参照）、何れの図柄を表示
窓２０に表示して回胴２０ａ，２０ｂ，２０ｃを停止するかは、停止テーブルに予め設定
されている。前述したように、内部抽選によってある遊技役に当選している場合は、適切
なタイミングで回胴停止ボタン３８ａ，３８ｂ，３８ｃを操作すると、その遊技役に対応
する図柄組合せが入賞ライン上に揃うように、各回胴２０ａ，２０ｂ，２０ｃを停止する
必要がある。逆に、内部当選していない遊技役については、どのようなタイミングで回胴
停止ボタン３８ａ，３８ｂ，３８ｃを操作したとしても、対応する図柄組合せが有効な入
賞ライン上に揃わないように、各回胴２０ａ，２０ｂ，２０ｃを停止する必要がある。そ
のため、何れの遊技役に内部当選しているかに応じて、異なる停止テーブルが設けられて
いる。
【００８２】
また、このような停止テーブルには、回胴２０ａ，２０ｂ，２０ｃの全てが回転してい
るときに参照する第１停止テーブルと、既に何れかが停止しているときに参照する第２停
止テーブルとが設定されている。そこで、回胴回転停止処理を開始した直後のＳ２００で
は、内部抽選の結果に応じて、先ず初めに第１停止テーブルを抽出する。例えば、「スイ
カの小役」に内部当選したと判断された場合は、「スイカの小役」当選時用に設定された
第１停止テーブルを抽出する。もちろん、何れの遊技役にも当選していない場合には、ハ
ズレ用に設定された第１停止テーブルを抽出する。
【００８３】
こうして第１停止テーブルを選択したら、回胴２０ａ，２０ｂ，２０ｃの回転速度が所
定値に達したか否かを判断する（Ｓ２０２）。回胴２０ａ，２０ｂ，２０ｃが回転を開始
した直後は、回転速度が上昇中で、未だ所定の回転速度に達していないと判断されるので
（Ｓ２０２：ｎｏ）、回転速度が所定値に達するまで、判断を繰り返しながら待機状態と
なる。そして、回転速度が所定速度に達していると判断したら（Ｓ２０２：ｙｅｓ）、回
胴停止ボタン３８ａ，３８ｂ，３８ｃの操作を有効化する（Ｓ２０４）。
【００８４】
続いて、有効となった回胴停止ボタン３８ａ，３８ｂ，３８ｃの何れかが操作されたか
否かを判断する（Ｓ２０６）。前述したように、遊技者が回胴停止ボタン３８ａ，３８ｂ
，３８ｃを操作すると、その操作信号が主制御基板２００に供給されるので、主制御基板
２００はこの操作信号に基づいて、回胴停止ボタン３８ａ，３８ｂ，３８ｃが操作された
か否かを判断することができる。そして、何れの回胴停止ボタンも操作されていない場合
は（Ｓ２０６：ｎｏ）、操作されるまで待機する。
【００８５】
一方、何れかの回胴停止ボタンが操作された場合は（Ｓ２０６：ｙｅｓ）、操作された
回胴停止ボタンを無効化するとともに（Ｓ２０８）、回胴停止ボタンが操作された時に、
そのボタンに対応する回胴が何れの回転位置にあったかを検出する（Ｓ２１０）。前述し
たように、回胴２０ａ，２０ｂ，２０ｃのそれぞれに対応して回胴センサ２６ａ，２６ｂ
，２６ｃが設けられており（図４参照）、回胴２０ａ，２０ｂ，２０ｃの回転位置を検出
可能である。また、本実施例の遊技機１では、回胴停止ボタンの操作時に、対応する回胴
に描かれた複数の図柄（図３参照）の中の何番目の図柄が所定の「基準位置」に表示され
ていたかに基づいて、その回胴の回転位置を検出するようになっている。ここで、基準位
置は、各回胴の回転位置を相対的に検出するために予め定められた特別な位置であり、本
実施例の遊技機１では、何れの回胴も表示窓２０の中段の位置が基準位置に設定されてい
る。
【００８６】
このようにして、回胴停止ボタンが操作された回胴の回転位置を検出したら、その回胴
を適切な位置で停止させるための処理（回胴停止制御処理）を開始する（Ｓ２１２）。こ
の回胴停止制御処理の詳細な内容については後述する。
【００８７】
回胴停止制御処理を行って、回胴停止ボタンが操作された回胴を停止させると、３つの
回胴２０ａ，２０ｂ，２０ｃの全てを停止させたか否かを判断する（Ｓ２１４）。そして
、未だ回胴停止ボタンが操作されずに回転中の回胴がある場合は（Ｓ２１４：ｎｏ）、Ｓ
２０６の処理に戻って、有効な回胴停止ボタンが操作されるまで待機し、操作されたら続
く上述した一連の処理を実行する。こうした処理を繰り返すうちに、全ての回胴を停止さ
せたと判断されたら（Ｓ２１４：ｙｅｓ）、図１２の回胴回転停止処理を終了して、図７
および図８に示した遊技制御処理に復帰する。
【００８８】
次に、上述した回胴回転停止処理（図１２）の中で回胴停止ボタンが操作された場合に
、対応する回胴を適切な位置で停止させるために行われる回胴停止制御処理（Ｓ２１２）
の内容について説明する。
【００８９】
図１３は、回胴回転停止処理の中で実行される回胴停止制御処理の流れを示したフロー
チャートである。回胴停止制御処理を開始すると、先ず初めに、停止させる回胴が第１回
胴であるか否かを判断する（Ｓ３００）。ここで、第１回胴とは、３つの回胴２０ａ，２
０ｂ，２０ｃの中で最初に停止する回胴をいう。すなわち、３つの回胴停止ボタン３８ａ
，３８ｂ，３８ｃは、どのような順序で操作してもよいことから、３つの回胴２０ａ，２
０ｂ，２０ｃの停止する順序は種々の順序を取り得る。そこで、３つの回胴２０ａ，２０
ｂ，２０ｃの中で最初に停止する回胴を「第１回胴」と呼び、２番目に停止する回胴を「
第２回胴」、３番目に停止する回胴を「第３回胴」と呼んで区別する。そして、第１回胴
を停止させると判断された場合は（Ｓ３００：ｙｅｓ）、回胴回転停止処理の開始直後（
図１２のＳ２００）に抽出しておいた第１停止テーブルを参照しながら、先に検出した回
胴停止ボタン操作時の第１回胴の回転位置（図１２のＳ２１０）に基づいて、第１回胴の
停止位置を決定する（Ｓ３０２）。本実施例の遊技機１では、回胴の停止位置として、基
準位置に停止表示させる図柄（停止図柄）を決定するようになっている。
【００９０】
図１４は、本実施例の遊技機１に設定されている第１停止テーブルの１つを例示した説
明図である。停止テーブルには、回胴停止ボタンが操作された時の回胴の回転位置と、回
胴停止ボタンが操作されてからその回胴を停止するまでの時間（停止時間）との対応関係
が設定されている。上述したように、本実施例では、回胴２０ａ，２０ｂ，２０ｃの回転
位置を、基準位置に表示されていた図柄よって検出していることから、図１４では、回転
位置として、回胴２０ａ，２０ｂ，２０ｃの外周面に描かれた図柄の番号（図３の図柄配
列に付された番号に対応する）が設定されている。また、前述したように、回胴停止ボタ
ンの操作が有効化された時点では、対応する回胴は一定の速度で回転しているので（図１
２のＳ２０２：ｙｅｓ）、停止時間が決まれば、その間に回胴上に描かれた図柄にして何
コマ分回転が進むかも決定される。そこで、図１４に示した例では、停止時間に代えて、
回胴停止ボタンが操作されてから何コマ分回転を進めて（滑らせて）その回胴を停止する
かを示す「滑りコマ数」が設定されている。従って、このような停止テーブルを参照すれ
ば、回胴停止ボタンの操作時に基準位置に表示されていた図柄に対応する滑りコマ数を読
み出して、停止図柄を決定することができる。
【００９１】
一例として、左回胴２０ａを第１回胴として停止させる場合について説明する。遊技者
が左側の回胴停止ボタン（左停止ボタン）３８ａを操作した時点で、図１５に示すように
、表示窓２０の中段の位置（基準位置）に１０番の「青セブン」の図柄が表示されていた
とする。この場合に、図１４の第１停止テーブルを参照すると、１０番の「青セブン」の
図柄に対して滑りコマ数が「２」と設定されている。そのため、図柄２コマ分滑らせて１
２番の「ベル」の図柄を、基準位置に表示させる停止図柄に決定する。図１５では、白抜
きの矢印によって回胴の回転方向を示しており、破線の円で囲んだ図柄が停止図柄となる
ことを表している。
【００９２】
ここで、停止テーブルに設定される停止時間は、最大で１９０ｍｓｅｃとなっており、
この１９０ｍｓｅｃの間に、回胴２０ａ，２０ｂ，２０ｃは図柄にして４コマ分回転する
。換言すれば、回胴停止ボタンが操作されると、その時点で基準位置に表示されている図
柄から最大で４コマ以内にある図柄（基準位置の図柄を含めて５つの図柄）の中から停止
図柄を決定することになる。このことと対応して、停止テーブル（図１４）では、基準位
置の図柄に応じて、滑りコマ数として０〜４の数値が設定されている。
【００９３】
このように、回胴の停止位置は、停止テーブルに設定されている停止時間（滑りコマ数
）によって決定される。従って、停止テーブルを予め適切に設定しておけば、内部当選し
た遊技役に対応する図柄組合せは、有効な入賞ライン上に比較的容易に揃うように、逆に
、内部当選していない遊技役の図柄組合せは、有効な入賞ライン上に決して揃わないよう
に、各回胴２０ａ，２０ｂ，２０ｃを停止することが可能となる。
【００９４】
以上のようにして第１回胴の停止位置を決定したら、決定した位置で第１回胴を停止さ
せる（Ｓ３０４）。その後、第１回胴に停止表示された図柄に応じて第２停止テーブルを
抽出すると（Ｓ３０６）、図１３の回胴停止制御処理を一旦終了して、図１２に示した回
胴回転停止処理に復帰する。ここで、第１停止テーブルと第２停止テーブルとの関係につ
いて補足して説明する。
【００９５】
図１６は、第１停止テーブルと第２停止テーブルとの関係を示した説明図である。上述
したように第１停止テーブルは、第１回胴を停止する際、すなわち、回胴２０ａ，２０ｂ
，２０ｃの全てが回転しているときに参照するテーブルであり、３つの回胴の全てを対象
に設定されている。これに対して、第２停止テーブルは、第２回胴および第３回胴を停止
する際に参照するテーブルであり、既に停止している第１回胴が３つの回胴２０ａ，２０
ｂ，２０ｃの中の何れであるかに応じて、第１回胴を除く残り２つの回胴を対象に設定さ
れている。また、前述したように、内部当選した遊技役の入賞を成立させるには、対応す
る図柄組合せが入賞ライン上に揃う必要があり、逆に、内部当選していない遊技役の図柄
組合せは、入賞ラインの何れにも揃わないようにする必要がある。このことから、第２回
胴あるいは第３回胴に何れの図柄を停止表示させるかは、既に停止した第１回胴に表示さ
れた図柄に影響される場合がある。従って、第２停止テーブルは、第１回胴に停止表示さ
れた図柄に応じて複数用意されており、図１３のＳ３０６では、第１回胴に何れの図柄が
停止表示されたかに応じて適切な第２停止テーブルを抽出する。尚、前述したように、各
回胴２０ａ，２０ｂ，２０ｃの停止位置は、内部当選している遊技役に左右されるため、
第１停止テーブルも第２停止テーブルも共に、内部当選している遊技役に応じてそれぞれ
設定されている。
【００９６】
以上では、停止させる回胴が第１回胴であった場合（図１３のＳ３００：ｙｅｓ）に行
われる処理について説明したが、停止させる回胴が第１回胴ではなかった場合、すなわち
、既に何れかの回胴が停止している場合には（Ｓ３００：ｎｏ）、停止させる回胴が第２
回胴であるか否かを判断する（Ｓ３０８）。そして、第２回胴であると判断された場合は
（Ｓ３０８：ｙｅｓ）、Ｓ３０６で抽出した第２停止テーブルを参照しながら、先に検出
した回胴停止ボタン操作時の第２回胴の回転位置（図１２のＳ２１０）に基づいて、前述
した第１回胴の場合と同様に、第２回胴の停止位置を決定する（Ｓ３１０）。その後、決
定した位置で第２回胴を停止すると（Ｓ３１２）、図１３の回胴停止制御処理を一旦終了
して、図１２の回胴回転停止処理に復帰する。
【００９７】
これに対して、停止させる図柄が第２回胴ではなかった場合（Ｓ３０８：ｎｏ）、すな
わち既に第１回胴および第２回胴は停止しており第３回胴を停止させるにあたっては、ベ
ルの小役Ａ〜Ｆに内部当選しているか否かを判断する（Ｓ３１４）。ここで、ＢＢ遊技中
に抽選されるベルの小役とＢＢ遊技中以外で抽選されるベルの小役Ａ〜Ｆは、互いに同じ
第１停止テーブルおよび第２停止テーブルが抽出される。これらの停止テーブルは、「ベ
ル」の図柄組合せが入賞ライン上に揃って停止表示するように設定されている。従って、
そのまま上記停止テーブルを参照して第３回胴を停止させると、ベルの小役Ａ〜Ｆが内部
当選していたとしても回胴停止ボタン３８ａ，３８ｂ，３８ｃの操作順に関係なく、「ベ
ル」の図柄の組合せが入賞ライン上に揃って停止表示されてしまう。図９を用いて前述し
たように、ベルの小役Ａ〜Ｆは、対応する押し順で回胴停止ボタン３８ａ，３８ｂ，３８
ｃを操作しない限り入賞を成立させることができない特殊な遊技役となっている。これに
対して、その他の遊技役には押し順が設定されていない。従って、内部当選した遊技役が
ベルの小役Ａ〜Ｆであった場合には、その他の遊技役が内部当選した場合と同様に扱って
回胴２０ａ，２０ｂ，２０ｃを停止させることはできない。少なくとも、ベルの小役Ａ〜
Ｆに内部当選していても、押し順が正しくない場合には、「ベル」の図柄組合せが揃わな
いようにしておく必要がある。そこで、第３回胴を停止させるに際しては、内部当選した
遊技役がベルの小役Ａ〜Ｆであるか否かを判断して（Ｓ３１４）、ベルの小役Ａ〜Ｆと、
その他の遊技役とで、第３回胴を停止させる処理を異ならせている。そして、ベルの小役
Ａ〜Ｆに内部当選していない場合は（Ｓ３１４：ｎｏ）、第２停止テーブルを参照しなが
ら、先に検出した回胴停止ボタン操作時の第３回胴の回転位置（図１２のＳ２１０）に基
づいて、第３回胴の停止位置を決定する（Ｓ３１６）。第２停止テーブルには、図１４に
示したような第２回胴および第３回胴の両方の停止情報（停止時間）が設定されているこ
とから、第３回胴の停止位置を決定する際にも第２停止テーブルを参照する。こうして決
定した位置で第３回胴を停止したら（Ｓ３１８）、図１３の回胴停止制御処理を終了して
、図１２に示した回胴回転停止処理に復帰する。
【００９８】
これに対して、ベルの小役Ａ〜Ｆに内部当選している場合は（Ｓ３１４：ｙｅｓ）、ベ
ルの小役Ａ〜Ｆ用の第３回胴の停止処理（ベル小役Ａ〜Ｆ用停止処理）を行う（Ｓ３２０
）。ベル小役Ａ〜Ｆ用停止処理では、ベルの小役Ａ〜Ｆに設定された押し順（図９参照）
どおりに回胴停止ボタン３８ａ，３８ｂ，３８が操作されれば入賞ライン上に「ベル」の
図柄の組合せが揃った図柄組合せが停止表示されるように第３回胴を停止させ、そうでな
ければ何れの遊技役にも対応していない図柄組合せ（ハズレ）を停止表示させる処理を行
う。
【００９９】
図１７は、回胴停止制御処理の中で実行されるベル小役Ａ〜Ｆ用停止処理を示したフロ
ーチャートである。ベル小役Ａ〜Ｆ用停止処理を開始すると、先ず初めに、第２回胴まで
の操作順は内部当選しているベルの小役Ａ〜Ｆに対応した押し順に一致しているか否かの
判断を行う（Ｓ４００）。ここで、主制御基板２００のＲＡＭ２０３には、回胴停止ボタ
ンの操作を有効化した後に（図１２のＳ２０４）操作されたと判断した（図１２のＳ２０
６：ｙｅｓ）回胴停止ボタンの操作順が記憶されている。主制御基板２００のＣＰＵ２０
１は、このＲＡＭ２０３に記憶している内容から第２回胴までの操作順を把握し、内部当
選しているベルの小役Ａ〜Ｆに対応した押し順に一致しているか否かの判断を行う。
【０１００】
その結果、第２回胴までの操作順が、内部当選しているベルの小役Ａ〜Ｆに対応した押
し順に一致していると判断した場合は（Ｓ４００：ｙｅｓ）、入賞ライン上に「ベル」の
図柄が揃った組合せが停止表示されるように第２停止テーブルを参照することにより、先
に検出した回胴停止ボタン操作時の第３回胴の回転位置（図１２のＳ２１０）に基づいて
、第３回胴の停止位置を決定する（Ｓ４０２）。これに対して、第２回胴までの操作順が
内部当選しているベルの小役Ａ〜Ｆに対応した押し順に一致していないと判定した場合は
（Ｓ４００：ｎｏ）、停止テーブルを第２停止テーブルからハズレ用テーブルに差し替え
る。そして、差し替えたハズレ用テーブルを参照しながら、先に検出した回胴停止ボタン
操作時の第３回胴の回転位置（図１２のＳ２１０）に基づいて、第３回胴の停止位置を決
定する（Ｓ４０４）。ハズレ用テーブルは、何れの遊技役に対応する図柄の組合せも入賞
ライン上に停止表示されないように設定されている。こうして決定した位置で第３回胴を
停止したら（Ｓ４０６）、図１７のベル小役Ａ〜Ｆ用停止処理および図１３の回胴停止制
御処理を終了して、図１２に示した回胴回転停止処理に復帰する。
【０１０１】
以上に説明したように、回胴回転停止処理では、内部当選している遊技役に応じて適切
な停止テーブルを抽出するとともに、回胴停止ボタン３８ａ，３８ｂ，３８ｃの何れかが
操作されると、対応する回胴のボタン操作時の回転位置に基づいて、停止テーブルを参照
しながら停止位置を決定することによって、各回胴２０ａ，２０ｂ，２０ｃを適切な位置
で停止させるようになっている。また、ベルの小役Ａ〜Ｆに内部当選している場合には、
第３回胴を停止させるにあたって、第２回胴までの回胴停止ボタンの操作順が判断され、
内部当選しているベルの小役Ａ〜Ｆに対応する押し順と一致していれば、入賞ライン上に
「ベル」の図柄の組合せが揃うように第３回胴を停止させ、逆に、対応する押し順と一致
しなければ、入賞ライン上に「ベル」の図柄が揃わないように第３回胴を停止させる（外
れ図柄組合せを停止表示する）。そして、全ての回胴２０ａ，２０ｂ，２０ｃを停止させ
たら、図７および図８に示した遊技制御処理に復帰した後、何れかの遊技役の入賞が成立
したか否かを判断し（図７のＳ１２０）、何れかの遊技役の入賞が成立していた場合には
（Ｓ１２０：ｙｅｓ）、その入賞成立した遊技役に対応する処理を行う（図８のＳ１２２
〜Ｓ１４４）。そして、前述したように入賞が成立していたか否かに拘らず特殊期間設定
処理を行った後（Ｓ１４６）、再び処理の先頭に戻って、遊技状態設定処理に続く上述し
た一連の処理を繰り返す。以下では、図７に示した遊技制御処理の先頭で行われる遊技状
態設定処理（Ｓ１００）について説明する。
【０１０２】
Ａ−３−３．遊技状態設定処理  ：
図１８は、本実施例の遊技機１が行う遊技状態設定処理を示すフローチャートである。
遊技状態設定処理を開始すると、先ず初めに主制御基板２００のＣＰＵ２０１は、図１１
に示した遊技状態フラグを参照して、ＢＢ遊技フラグ（赤７のＢＢ遊技フラグ、青７のＢ
Ｂ遊技フラグの何れか）がＯＮに設定されているか否かを判断する（Ｓ５００）。前述し
たように、ＢＢ遊技フラグは、遊技状態をＢＢ遊技とすることを示す遊技状態フラグであ
る。その結果、ＢＢ遊技フラグがＯＮに設定されていないと判断した場合は（Ｓ５００：
ｎｏ）、現在の遊技状態は通常遊技中であるので、図９に示した通常遊技用抽選テーブル
を選択する（Ｓ５０２）。尚、ＢＢ役に内部当選してからＢＢ役の入賞が成立するまでは
、内部当選する遊技役としてＢＢ役が設定されていない抽選テーブル（図示略）が選択さ
れる。これにより、ＢＢ役が内部当選している状態で、更に別のＢＢ役が内部当選しない
ようになっている。
【０１０３】
一方、何れかのＢＢ遊技フラグがＯＮに設定されていると判断された場合は（Ｓ５００
：ｙｅｓ）、ＢＢ遊技の終了条件が満たされているか否かを判断する（Ｓ５０４）。本実
施例では、ＢＢ遊技の終了条件として、ＢＢ遊技の開始後に払い出した遊技メダルの枚数
が設定されており、払い出した遊技メダルの枚数が所定枚数（例えば、４００枚）に達す
るとＢＢ遊技が終了するように設定されている。図７および図８を用いて前述した遊技制
御処理では、払い出した遊技メダルの枚数を計数しており（図８のＳ１４４）、ＢＢ遊技
開始後に払い出した遊技メダルの枚数が所定枚数に達すると、そのことを直ちに検出する
ことができる。そして、この遊技メダルの枚数が所定枚数に達したことを未だ検出してい
なければ、ＢＢ遊技の終了条件が満たされていないと判断して（Ｓ５０４：ｎｏ）、ＢＢ
遊技を継続するべく、ＢＢ遊技用抽選テーブルを選択する（Ｓ５０６）。以下、ＢＢ遊技
用抽選テーブルについて説明する。
【０１０４】
図１９は、ＢＢ遊技中に用いられるＢＢ遊技用抽選テーブルを概念的に示した説明図で
ある。図１９（ａ）には、各遊技役に対して割り当てられた乱数の範囲が示されており、
図１９（ｂ）には、各遊技役に割り当てられた乱数範囲の大まかな比率が示されている。
図１９に示したＢＢ遊技用抽選テーブルには、図９を用いて前述した通常遊技用抽選テー
ブルに対して、「赤７のＢＢ役」、「青７のＢＢ役」、「再遊技役」、「ベルの小役Ａ〜
Ｆ」の遊技役が設定されておらず、また、通常遊技用抽選テーブルに設定されていなかっ
た「ベルの小役」、「増加役」が設定されている。更に、ＢＢ遊技用抽選テーブルに設定
されている「ベルの小役」には、通常遊技用抽選テーブルの「ベルの小役Ａ〜Ｆ」とは異
なり、対応する回胴停止ボタン３８ａ，３８ｂ，３８ｃの押し順は設定されていない。す
なわち、ＢＢ遊技では、「ベルの小役」は回胴停止ボタン３８ａ，３８ｂ，３８ｃの押し
順とは関係なく入賞を成立させることができる遊技役である。また、「増加役」には全体
の半分以上の乱数値が設定されている。図６を用いて前述したように、「増加役」の入賞
が成立すると、１５枚の遊技メダルが払い出されることから、ＢＢ遊技中は高い確率で増
加役の入賞が成立し、入賞成立の度に１５枚の遊技メダルが払い出されることになる。
【０１０５】
尚、図７に示した内部抽選処理では、上述した何れかの抽選テーブルを参照することに
よって内部抽選を実施する（Ｓ１１０）。その結果、スタートレバー３６の操作時に取得
された内部抽選用乱数と、参照した抽選テーブルに応じて、内部抽選結果（何れの遊技役
に内部当選したか、若しくは何れの遊技役にも内部当選しなかったか）が決定されること
になる。その結果、通常遊技用抽選テーブルが選択された場合は通常遊技状態での遊技（
通常遊技）が行われることとなり、ＢＢ遊技用抽選テーブルが選択された場合はＢＢ遊技
状態での遊技（ＢＢ遊技）が行われることとなる。
【０１０６】
上述のＢＢ遊技用抽選テーブルを利用したＢＢ遊技の進行に伴い、増加役が繰り返し入
賞して所定枚数の遊技メダルを払い出した場合は、図１８のＳ５０４で、ＢＢ遊技の終了
条件が成立したと判断して（Ｓ５０４：ｙｅｓ）、ＢＢ遊技フラグをＯＦＦに設定する（
Ｓ５０８）。そして、主制御基板２００は、サブ制御基板２２０に向けてＢＢ遊技の終了
コマンドを送信する（Ｓ５１０）。サブ制御基板２２０のＣＰＵ２２１は、ＢＢ遊技の終
了コマンドを受信することによって、ＢＢ遊技が終了したことを把握する。ＢＢ遊技の終
了コマンドを送信すると、遊技状態を通常遊技に設定するべく、通常遊技用の抽選テーブ
ルを選択した後（Ｓ５０２）、遊技状態設定処理を終了して、図７および図８に示した遊
技制御処理に復帰する。
【０１０７】
Ａ−３−４．回胴をフリーズさせるための処理  ：
次に、本実施例の遊技機１が行う回胴をフリーズさせるための処理について、詳しく説
明する。大まかには前述したように、本実施例の遊技機１では、複数の遊技に亘る特殊期
間を設定し、該特殊期間における遊技結果（特殊結果）に基づいた態様で回胴のフリーズ
を実行する。先ず初めに、特殊期間について説明する。
【０１０８】
図２０は、主制御基板２００に搭載されたＣＰＵ２０１が行うスイカ小役入賞時処理を
示すフローチャートである。スイカ小役入賞時処理は、図７および図８に示した遊技制御
処理の中で、今回の遊技の結果、スイカの小役の入賞が成立したと判断された場合に実行
される（図８のＳ１４０）。スイカ小役入賞時処理では、先ず初めに、ＢＢ遊技フラグが
ＯＮに設定されているか否かを判断する（Ｓ６００）。すなわち、「スイカの小役の入賞
成立」がＢＢ遊技中にあったか否かを判断する。その結果、ＢＢ遊技中ではないと判断さ
れると、今度は、特殊フラグがＯＮに設定されているか否かを判断する（Ｓ６０２）。す
なわち、前述のとおり特殊フラグは特殊期間にＯＮに設定されるフラグであることから、
Ｓ６０２の処理では、「スイカの小役の入賞成立」が特殊期間中にあったか否かが判断さ
れる。その結果、特殊期間中でもないと判断されると、特殊期間を開始するべく、特殊フ
ラグをＯＮに設定する（Ｓ６０４）。その後、スイカ小役入賞時処理を終了して、図７お
よび図８に示す遊技制御処理に復帰する。
【０１０９】
以上のように、本実施例の遊技機１では、ＢＢ遊技中でも特殊期間中でもない場合に「
スイカの小役の入賞成立」があると特殊期間が開始される。ＢＢ遊技中である場合、また
は既に特殊期間が開始されている場合には、特殊フラグの操作を行うことなく、そのまま
スイカ小役入賞時処理を終了して、図７および図８に示す遊技制御処理に復帰する。
【０１１０】
こうして、特殊期間を開始するために特殊フラグをＯＮに設定すると、特殊期間中の遊
技の回数を計数する処理が行われる。この処理について、以下に詳しく説明する。
【０１１１】
図２１は、主制御基板２００に搭載されたＣＰＵ２０１が行う特殊期間計数処理を示す
フローチャートである。特殊期間計数処理は、図７および図８に示した遊技制御処理の中
で、各遊技の最後に実行される（図８のＳ１４６）。特殊期間計数処理では、先ず初めに
、特殊フラグがＯＮに設定されているか否か（現在が特殊期間中か否か）の判断を行う（
Ｓ７００）。その結果、特殊フラグがＯＮに設定されている場合は、今度は、特殊カウン
タの値が「４」か否かの判断を行う（Ｓ７０２）。前述のとおり、特殊カウンタは、主制
御基板２００に搭載されているＣＰＵ２０１が、特殊期間を開始してからの現在の遊技回
数を把握するためのカウンタである。詳しくは後述するが、特殊カウンタの値は、特殊期
間以外は「０」に設定されており、特殊フラグがＯＮにされた遊技（スイカ小役が入賞成
立した遊技）の終了時に「１」が加算されるとともに、それ以降の遊技終了時に「１」ず
つ加算されるように設定されている。つまり、特殊期間を開始してから１回目の遊技（ス
イカ小役が入賞成立した次遊技）の開始時点では、特殊カウンタの値は「１」となってお
り、２回目の遊技の開始時点では、特殊カウンタの値は「２」となる。故に、Ｓ７０２の
処理では、今回の遊技が、特殊期間を開始してから４回目の遊技であったか否か（遊技開
始時の特殊カウンタの値が「４」であったか否か）が判断される。
【０１１２】
その結果、特殊カウンタの値が「４」ではないと判断すると（Ｓ７０２：ｎｏ）、特殊
カウンタに「１」を加算した後（Ｓ７０４）、特殊期間計数処理を終了して、図７および
図８に示す遊技制御処理に復帰する。もちろん、直前のスイカ小役入賞時処理で特殊フラ
グをＯＮに設定した（今回の遊技でスイカの小役が入賞成立して特殊期間を開始する）場
合は（図２０のＳ６０４）、それまでは（特殊期間を開始するまでは）特殊カウンタの値
は「０」に設定されているので、Ｓ７０２の処理では否定判断をされるとともに、特殊カ
ウンタの値に「１」が加算されて該値は「１」に設定される。こうして、特殊カウンタの
値が「１」に設定された状態で、図７および図８に示す遊技制御処理の先頭に戻り一連の
処理を行うことにより、特殊期間を開始してからの１回目の遊技が行われる。特殊カウン
タの値は、「４」になるまでは（Ｓ７０２：ｎｏ）、遊技が行われるたびにＳ７０４の処
理で「１」が加算されて、その値が特殊期間を開始してからの遊技回数を示すようになっ
ている。
【０１１３】
Ｓ７０２の処理で、特殊カウンタの値が「４」であると判断すると（今回の遊技が特殊
期間を開始してから４回目の遊技である場合は）（Ｓ７０２：ｙｅｓ）、特殊期間を終了
するべく、特殊フラグをＯＦＦに設定するとともに（Ｓ７０６）、特殊カウンタに「０」
を設定する（Ｓ７０８）。すなわち、特殊期間は開始してから４回目の遊技で終了するよ
うに設定されている。
【０１１４】
こうして、特殊期間を終了するための処理を行ったら、フリーズ実行回フラグをＯＮに
設定する（Ｓ７１０）。本実施例の遊技機１は、特殊期間が終了すると次の遊技でフリー
ズを実行するように設定されている。フリーズ実行回フラグは、主制御基板２００に搭載
されているＣＰＵ２０１が現在の遊技がフリーズを実行する遊技であるか否かを把握する
ためのフラグであり、主制御基板２００に搭載されているＲＡＭ２０３にその記憶領域が
確保されている。Ｓ７１０の処理では、次に開始される遊技がフリーズを実行する遊技で
あることを把握できるように、フリーズ実行回フラグをＯＮに設定する（Ｓ７１０）。こ
うして、フリーズ実行回フラグがＯＮに設定された状態で、図７および図８に示す遊技制
御処理の先頭に戻り一連の処理を行うことにより、フリーズを実行する回の遊技が行われ
る。
【０１１５】
以上のように、ＢＢ遊技中でも特殊期間中でもない遊技でスイカの小役が入賞成立する
と特殊期間を開始する。そして、特殊期間を開始してから４回の遊技を行うと、該特殊期
間を終了して、次の回の遊技でフリーズを実行するための処理を行う。実行されるフリー
ズの態様は、「特殊期間中の遊技結果」（４回の遊技における遊技役の入賞成立状況）に
応じて決定されるようになっている。以下では、このような「特殊期間中の遊技結果」を
収集する（記憶する）ための処理について説明する。
【０１１６】
図２２は、主制御基板２００に搭載されたＣＰＵ２０１が行う再遊技役入賞時処理を示
すフローチャートである。再遊技役入賞時処理は、図７および図８に示した遊技制御処理
の中で、今回の遊技の結果、再遊技役の入賞が成立したと判断された場合に実行される（
図８のＳ１３６）。再遊技役入賞時処理では、先ず初めに、特殊フラグがＯＮに設定され
ているか否か（現在が特殊期間か否か）を判断する。その結果、現在が特殊期間であれば
（Ｓ８００：ｙｅｓ）、再遊技役カウンタの値に「１」を加算した後（Ｓ８０２）、図７
および図８に示す遊技制御処理に復帰する。
【０１１７】
前述のとおり、本実施例の遊技機１では、特殊期間中に再遊技役の入賞が成立した回数
を計数しており、その回数に応じてフリーズの態様を決定している。再遊技役カウンタは
、主制御基板２００に搭載されているＣＰＵ２０１が、特殊期間中に再遊技役の入賞が何
回成立したかを把握するためのカウンタであり、主制御基板２００に搭載されているＲＡ
Ｍ２０３の所定アドレスにその記憶領域が確保されている。Ｓ８０２の処理では、特殊期
間中に再遊技役の入賞成立があったということなので（Ｓ８００：ｙｅｓ）、再遊技役カ
ウンタの値に「１」を加算する。このように、特殊期間中は（特殊期間を開始してから４
回目までの遊技では）再遊技役の入賞成立があるたびに再遊技役カウンタの値に「１」を
加算する。これにより、特殊期間中における再遊技役の入賞成立回数が計数されて、該入
賞成立回数を主制御基板２００に搭載されているＣＰＵ２０１が把握可能になる。一方、
再遊技役の入賞が成立したが特殊期間ではない場合は（Ｓ８００：ｎｏ）、Ｓ８０２の処
理はスキップしてそのまま図７および図８に示す遊技制御処理に復帰する。尚、複数回の
遊技に亘る特殊期間は、主制御基盤２００のＣＰＵ２０１が上述のような処理を行うこと
により発生させる。従って、主制御基板２００に搭載されているＣＰＵ２０１は、本発明
における「特殊期間発生手段」に対応している。
【０１１８】
本実施例の遊技機１は、こうして計数された特殊期間中における再遊技役の入賞成立回
数に基づいて、フリーズの態様を決定して、この決定された態様でフリーズを実行する処
理を行う。以下では、フリーズの態様を決定する処理および該態様でフリーズを実行する
処理について、詳しく説明する。
【０１１９】
図２３は、主制御基板２００に搭載されたＣＰＵ２０１が行う回胴フリーズ処理を示す
フローチャートである。回胴フリーズ処理は、図７および図８に示した遊技制御処理の中
で、回胴回転始動処理の前に実行される（図７のＳ１１４）。
【０１２０】
回胴フリーズ処理を開始すると、先ず初めに、フリーズ実行回フラグがＯＮに設定され
ているか否かを判断する（Ｓ９００）。前述したように、フリーズ実行回フラグは特殊期
間を終了するにあたってＯＮに設定されるフラグであり（図２１のＳ７１０）、後述のと
おり特殊期間を終了してから直ぐ後の遊技中にＯＦＦに設定される。すなわち、フリーズ
実行回フラグがＯＮに設定されているのは、特殊期間を終了した直後の遊技中だけであり
、このフリーズ実行回フラグがＯＮか否かを判断することにより、今回の遊技が特殊期間
の終了直後の遊技か否かが判断される。
【０１２１】
Ｓ９００の判断処理の結果、今回の遊技が特殊期間が終了した直後の遊技である場合は
（Ｓ９００：ｙｅｓ）、以下に説明する一連のフリーズを実行するための処理を行う。ま
ず、Ｓ９０２の処理では、再遊技カウンタの値が「２」か否かを判断する。すなわち、特
殊期間中に再遊技役の入賞成立が２回あったか否か（特殊期間の４回の遊技のうち２回の
遊技の結果が再遊技役の入賞成立であったか否か）を判断する。その結果、特殊期間中に
再遊技役の入賞成立が２回あったと判断した場合は（Ｓ９０２：ｙｅｓ）、フリーズＡ実
行コマンドをサブ制御基板２２０に向けて送信する（Ｓ９０４）。サブ制御基板２２０に
搭載されているＣＰＵ２２１は、フリーズＡ実行コマンドを受信することにより、フリー
ズＡが実行されることを把握する。フリーズＡ実行コマンドを送信したら、フリーズＡを
実行する（Ｓ９０６）。
【０１２２】
図２４は、各フリーズを説明するための説明図である。図２４に示すように、フリーズ
Ａの実行は、回胴を５秒間静止させたままにする（例えば、回胴モータ（図４参照）に駆
動信号を５秒間送信しない）ことにより行われる。
【０１２３】
ここで、回胴を５秒間静止させたままにするということは、フリーズＡの実行に少なく
とも５秒間必要であるということであり、ひいては図２３に示す回胴フリーズ処理が少な
くとも５秒間は終了しないということである。そうすると、回胴フリーズ処理は、図７に
示すように、スタートレバーが操作されたことを判断する処理（Ｓ１０８）と回胴を通常
回転させるための回胴回転始動処理（Ｓ１１６）との間に行われる処理であるので、スタ
ートレバーが操作されてから少なくとも５秒間は、回胴が通常回転を行わないということ
である。従って、この間は、遊技者にとっては、スタートレバーを操作しても回胴が通常
回転を始動せずに回胴を停止させることができないので（回胴停止ボタンを操作しても反
応がないので）、遊技者の注目をフリーズに（回胴の逆回転に）引き付けることが可能と
なる。
【０１２４】
フリーズＡの実行を終えると（Ｓ９０６）、フリーズを行う遊技は今回だけ（特殊期間
を終了した直後の遊技だけ）なので、フリーズ実行回フラグをＯＦＦに設定して（Ｓ９０
８）、次回の特殊期間における「再遊技役の入賞成立回数の計数」に備えて、再遊技役カ
ウンタの値を「０」に設定する（Ｓ９１０）。その後、回胴フリーズ処理を終了して、図
７および図８に示す遊技制御処理に復帰する。
【０１２５】
Ｓ９０２の処理で、再遊技カウンタの値が「２」ではないと判断した場合は、今度は、
再遊技カウンタの値が「３」であるか否か、すなわち、特殊期間中に再遊技役の入賞成立
が３回あったか否か（特殊期間の４回の遊技のうち３回の遊技の結果が再遊技役の入賞成
立であったか否か）を判断する（Ｓ９１２）。その結果、特殊期間中に再遊技役の入賞成
立が３回あったと判断した場合は（Ｓ９１２：ｙｅｓ）、フリーズＢ実行コマンドをサブ
制御基板２２０に向けて送信する（Ｓ９１４）。サブ制御基板２２０に搭載されているＣ
ＰＵ２２１は、フリーズＢ実行コマンドを受信することにより、フリーズＢが実行される
ことを把握する。フリーズＢ実行コマンドを送信したら、フリーズＢを実行する（Ｓ９１
６）。
【０１２６】
ここで、特殊期間中に再遊技役の入賞成立が３回あることは、再遊技役の内部当選確率
に鑑みると、該入賞成立が２回あることよりも、稀なケースである。従って、フリーズＢ
は、フリーズＡよりは遊技者の注目を引き付けるような態様でフリーズを実行する。すな
わち、図２４に示すように、回胴を２０秒間静止させたままにする。こうすると、前述の
理由により、遊技者は少なくとも２０秒間は、スタートレバーを操作しても回胴が通常回
転を行わず回胴を停止させることができないので（回胴停止ボタンを操作しても反応がな
いので）、遊技者の注目をフリーズに（回胴の逆回転に）さらに引き付けることが可能と
なる。
【０１２７】
フリーズＢの実行を終えると（Ｓ９０６）、前述したフリーズＡの実行を終了した後と
同様に、フリーズ実行回フラグをＯＦＦに設定して（Ｓ９０８）、再遊技役カウンタの値
を「０」に設定した後（Ｓ９１０）、回胴フリーズ処理を終了して、図７および図８に示
す遊技制御処理に復帰する。
【０１２８】
Ｓ９１２の処理で、再遊技カウンタの値が「３」ではないと判断した場合は、今度は、
再遊技カウンタの値が「４」であるか否か、すなわち、特殊期間中に再遊技役の入賞成立
が４回あったか否か（特殊期間の４回の遊技のうち４回の遊技全ての結果が再遊技役の入
賞成立であったか否か）を判断する（Ｓ９１８）。その結果、特殊期間中に再遊技役の入
賞成立が４回あったと判断した場合は（Ｓ９１８：ｙｅｓ）、フリーズＣ実行コマンドを
サブ制御基板２２０に向けて送信する（Ｓ９２０）。サブ制御基板２２０に搭載されてい
るＣＰＵ２２１は、フリーズＣ実行コマンドを受信することにより、フリーズＣが実行さ
れることを把握する。フリーズＣ実行コマンドを送信したら、フリーズＣを実行する（Ｓ
９２２）。
【０１２９】
ここで、特殊期間中に再遊技役の入賞成立が４回あるということは、特殊期間中の遊技
全てで再遊技役の入賞が成立したということであり、再遊技役の内部当選確率に鑑みると
、該入賞成立が３回あることよりも、さらに稀なケースである。従って、フリーズＣは、
フリーズＡやフリーズＢよりも遊技者の注目を引き付けるような動作を回胴に行わせる。
すなわち、図２４に示すように、回胴モータ（図４参照）に駆動信号を送信することによ
り、回胴を通常回転とは逆方向に２０秒間回転させる。こうすると、前述の理由により、
遊技者は少なくとも２０秒間は、スタートレバーを操作しても回胴が通常回転を行わず回
胴を停止させることができないので（回胴停止ボタンを操作しても反応がないので）、遊
技者の注目をフリーズに（回胴の逆回転に）さらに引き付けることが可能となる。しかも
、通常では行わせない動作（通常回転でも静止でもない動作）である逆回転動作を回胴に
行わせるので、さらに遊技者の注目を引き付けることになる。
【０１３０】
フリーズＣの実行を終えると（Ｓ９２２）、前述したフリーズＡの実行を終了した後と
同様に、フリーズ実行回フラグをＯＦＦに設定して（Ｓ９０８）、再遊技役カウンタの値
を「０」に設定した後（Ｓ９１０）、回胴フリーズ処理を終了して、図７および図８に示
す遊技制御処理に復帰する。
【０１３１】
Ｓ９１８の処理で、再遊技カウンタの値が「４」ではないと判断した場合、すなわち再
遊技カウンタの値が「０」または「１」の場合は（Ｓ９１８：ｎｏ）、特殊期間中に再遊
技役の入賞成立が全くなかった、または１回しかなかったということである。この場合は
、特殊期間中の遊技結果がフリーズを実行するための条件を満たさなかったということで
、フリーズは実行せずに、フリーズ実行回フラグをＯＦＦに設定して（Ｓ９０８）、再遊
技役カウンタの値を「０」に設定した後（Ｓ９１０）、回胴フリーズ処理を終了して、図
７および図８に示す遊技制御処理に復帰する。
【０１３２】
以上のように、特殊期間が終了した直後の遊技では、特殊期間中における再遊技役の入
賞成立回数（特殊結果）に応じてフリーズの態様を決定して、その態様でフリーズを実行
する。フリーズの態様としては、その特殊結果になる確率が低い程、遊技者の注目を引き
付けることのできる（遊技者の何かが起きそうという期待を大きくすることのできる）態
様が選択される。すなわち、特殊期間中における再遊技役の入賞成立回数が２回であった
場合は、回胴に「静止する動作」を５秒間継続させる態様が選択され、該入賞成立回数が
３回であった場合は回胴に「静止する動作」を２０秒間継続させる態様（入賞成立回数が
２回の場合と比較して動作は変えないままその動作を行わせる期間を長くする態様）が選
択され、該入賞成立回数が４回であった場合は回胴に「通常回転とは逆に回転する動作」
を２０秒間継続させる態様（入賞成立回数が２回の場合と比較して、動作を派手にしてそ
の動作を行わせる期間を長くする態様）が選択される。従って、遊技者に対して、特殊期
間における遊技（フリーズが発生しない遊技）を、その後の遊技でフリーズを発生させる
ための遊技であると感じさせることができるとともに、その遊技での遊技の結果によって
は該結果をフリーズが発生する前兆として感じさせて、フリーズの発生に対する期待を高
めさせたり、フリーズの態様を推測させたりすることが可能となり、遊技者の遊技興趣を
高めることが可能となる。
【０１３３】
尚、主制御基板２００のＣＰＵ２０１が上述の処理を行うことにより、特殊結果に基づ
いてフリーズの態様が設定されて該態様でフリーズが実行される。従って、主制御基板２
００に搭載されているＣＰＵ２０１は、本発明における「発生時間設定手段」および「機
能停止状態発生手段」に対応している。
【０１３４】
以上では、主制御基板２００が遊技を進行させるために実行する様々な制御処理の内容
について説明した。ここで、図４を用いて前述したように、主制御基板２００は、サブ制
御基板２２０とデータを通信可能に接続されており、図７および図８に示した遊技制御処
理を実行する中で、遊技の演出に関連する種々の制御信号や制御コマンドをサブ制御基板
２２０に向かって送信する。サブ制御基板２２０では、受信した制御信号や制御コマンド
に基づいて演出制御処理を実行し、各種ランプ類１２、各種スピーカ１４，１１４、演出
表示装置１０、回胴バックライト２０Ｌなどを用いて種々の演出を行っている。また、サ
ブ制御基板２２０のＣＰＵ２２１は、上述した回胴フリーズ処理の中で主制御基板２００
から送信されるフリーズＡ実行コマンドや、フリーズＢ実行コマンド、フリーズＣ実行コ
マンドを受信することにより、各フリーズが実行されていることを把握することが可能で
ある。そして、本実施例のサブ制御基板２２０のＣＰＵ２２１は、各フリーズが行われた
ことを検出すると、それぞれのフリーズに応じた期間のＡＴ遊技を行うための制御を開始
する。ここで、ＡＴ遊技とは、本発明における特典に対応するものであり、押し順が設定
された遊技役（ベルの小役Ａ〜Ｆ）に内部当選すると、遊技者がその遊技役の入賞を成立
させ易くするために、その押し順を報知する演出が行われる遊技状態である。以下では、
サブ制御基板２２０が上述のような演出などを制御するために行う処理（演出制御処理）
の内容について詳しく説明する。
【０１３５】
Ａ−４．第１実施例の演出制御処理  ：
図２５は、本実施例の遊技機１においてサブ制御基板２２０が実行する演出制御処理の
前半部分を示すフローチャートであり、図２６は、その後半部分を示すフローチャートで
ある。サブ制御基板２２０は、演出制御処理を開始すると、先ず初めに、主制御基板から
コマンドを受信したか否かを確認する（Ｓ１０００）。サブ制御基板２２０が行う制御は
、基本的には主制御基板２００から出力されるコマンドに基づいて実行されており、演出
制御処理では、コマンドの受信を契機として処理が開始される。そのため、未だコマンド
を受信していないと判断した場合には（Ｓ１０００：ｎｏ）、コマンドを受信するまでそ
のまま待機する。
【０１３６】
そして、コマンドを受信したら（Ｓ１０００：ｙｅｓ）、そのコマンドがＢＢ遊技開始
コマンドか否かを判断する（Ｓ１００２）。図８を用いて前述したように、ＢＢ遊技開始
コマンドは、ＢＢ役に入賞成立すると主制御基板２００のＣＰＵ２０１からサブ制御基板
２２０に向かって出力されるコマンドである。受信したコマンドがＢＢ遊技開始コマンド
である場合は（Ｓ１００２：ｙｅｓ）、ＡＴフラグをＯＦＦに設定して（Ｓ１００４）、
ＢＢ遊技用の演出を開始する（Ｓ１００６）。すなわち、ＢＢ遊技が開始される場合は、
ＡＴ遊技中であってもＡＴ遊技を終了するべく、ＡＴフラグをＯＦＦに設定するのである
。ＡＴフラグは、ＡＴ遊技開始時にＯＮに設定されて、ＡＴ遊技終了時にＯＦＦに設定さ
れるフラグであり、サブ制御基板２２０に搭載されているＲＡＭ２２３にその記憶領域が
確保されている。またＢＢ遊技用の演出は、サブ制御基板２２０が各種ランプ類１２、各
種スピーカ１４，１１４、演出表示装置１０、回胴バックライト２０Ｌなどを制御するこ
とにより行われる。ＢＢ遊技用の演出を開始すると（Ｓ１００６）、Ｓ１０００の処理に
戻って次のコマンドを受信するまで待機する。
【０１３７】
これに対して、受信したコマンドがＢＢ遊技開始コマンドではなかった場合は（Ｓ１０
０２：ｎｏ）、そのコマンドがＢＢ遊技終了コマンドか否かを判断する（Ｓ１００８）。
コマンドがＢＢ遊技終了コマンドである場合は（Ｓ１００８：ｙｅｓ）、ＢＢ遊技用の演
出を終了する（Ｓ１０１０）。すなわち、主制御基板２００からＢＢ遊技終了コマンドを
受信したということは、それ以前に、ＢＢ遊技開始コマンドを受信して（Ｓ１００２：ｙ
ｅｓ）、ＢＢ遊技用の演出を実行している筈である。そこで、主制御基板２００からＢＢ
遊技終了コマンドを受信したら（Ｓ１００８：ｙｅｓ）、実行中のＢＢ遊技用の演出を終
了する（Ｓ１０１０）。
【０１３８】
一方、受信したコマンドがＢＢ遊技終了コマンドではなかった場合は（Ｓ１００８：ｎ
ｏ）、そのコマンドがフリーズＡ実行コマンドか否かを判断する（Ｓ１０１２）。受信し
たコマンドがフリーズＡ実行コマンドであった場合は、フリーズＡ用の演出を開始する（
Ｓ１０１４）。フリーズＡ用の演出としては、例えば、各種ランプ類１２、演出表示装置
１０、回胴バックライト２０Ｌなどを消灯する演出や、各種スピーカ１４，１１４からフ
リーズＡ発生時用の特定の演出音（ノイズ音など）を出力する演出、演出表示装置１０に
フリーズＡの態様に応じた５秒間の動画を表示させる演出等が行われる。そして、フリー
ズＡ用の演出を開始すると、ＡＴ遊技を開始するためにＡＴフラグをＯＮに設定するとと
もに（Ｓ１０１６）、ＡＴカウンタの値に「５０」を加算する（Ｓ１０１８）。すなわち
、本実施例の遊技機１は、フリーズＡを実行すると、必ずＡＴ遊技が開始されるように設
定されている。尚、ＡＴカウンタはＡＴ遊技の終了契機を判断するためのものであり、Ａ
Ｔ遊技を行う残りの遊技回数が設定されている。ＡＴカウンタは、サブ制御基板２２０に
搭載されているＲＡＭ２２３にその記憶領域が確保されている。ＡＴカウンタについては
、後に詳しく説明する。
【０１３９】
受信したコマンドがフリーズＡ実行コマンドではなかった場合は（Ｓ１０１２：ｎｏ）
、そのコマンドがフリーズＢ実行コマンドか否かを判断する（Ｓ１０２０）。受信したコ
マンドがフリーズＢ実行コマンドであった場合は（Ｓ１０２０：ｙｅｓ）、フリーズＢ用
の演出を開始する（Ｓ１０２２）。フリーズＢ用の演出としても、上述のフリーズＡ用の
演出と同じような演出が行われるが、フリーズＢを実行する期間（２０秒間）に合わせて
、その演出の期間もフリーズＡ用の演出の期間より長くなる。また、上述の例示した各演
出においても、フリーズＡ用の演出より、消灯するランプの数が多くなったり、特定の演
出音の音量が大きくなったり、演出表示装置１０に稀にしか表示されない動画（いわゆる
プレミア動画）を表示させる等、大規模な（または希少な）演出となる。そして、フリー
ズＢ用の演出を開始すると、ＡＴ遊技を開始するためにＡＴフラグをＯＮに設定するとと
もに（Ｓ１０２４）、ＡＴカウンタの値に「１００」を加算する（Ｓ１０２６）。すなわ
ち、本実施例の遊技機１は、フリーズＢを実行すると、必ずＡＴ遊技が開始されるように
設定されている。
【０１４０】
受信したコマンドがフリーズＢ実行コマンドではなかった場合は（Ｓ１０２０：ｎｏ）
、今度は、そのコマンドがフリーズＣ実行コマンドか否かを判断する（図２６のＳ１０３
０）。受信したコマンドがフリーズＣ実行コマンドであった場合は（Ｓ１０３０：ｙｅｓ
）、フリーズＣ用の演出を開始する（Ｓ１０３２）。フリーズＣ用の演出としても、上述
のフリーズＢ用の演出と同じような演出が行われるが、フリーズＣの態様（回胴に行わせ
る逆回転の動作、該動作を行わせる期間（２０秒間））に合わせたものとなる。また、フ
リーズＣが行われる確率はフリーズＢが行われる確率より低いので、その演出の内容はフ
リーズＢより大規模なもの（希少なもの）となる。例えば、フリーズＢ用の演出より、消
灯するランプの数が多くなったり、特定の演出音の音量が大きくなったり、演出表示装置
１０にさらに稀にしか表示されない動画（いわゆる上述のプレミア動画とは別の（さらに
希少な）プレミア動画）を表示させる等の演出となる。そして、フリーズＣ用の演出を開
始すると、ＡＴ遊技を開始するためにＡＴフラグをＯＮに設定するとともに（Ｓ１０３４
）、ＡＴカウンタの値に「２００」を加算する（Ｓ１０３６）。すなわち、本実施例の遊
技機１は、フリーズＣを実行すると、必ずＡＴ遊技が開始されるように設定されている。
【０１４１】
一方、受信したコマンドがフリーズＣ実行コマンドではなかった場合は（Ｓ１０３０：
ｎｏ）、そのコマンドが内部抽選結果伝達コマンドか否かを判断する（Ｓ１０３８）。受
信したコマンドが内部抽選結果伝達コマンドではなかった場合は（Ｓ１０３８：ｎｏ）、
処理の先頭に戻って、コマンドを受信したか否かを判断する（Ｓ１０００）。そして、コ
マンドを受信していなければ、次のコマンドを受信するまで待機する。受信したコマンド
が内部抽選結果伝達コマンドであった場合は（Ｓ１０３８：ｙｅｓ）、ＡＴフラグがＯＮ
か否か、すなわちＡＴ遊技中か否かを判断する（Ｓ１０４０）。ＡＴ遊技中でない場合は
（Ｓ１０４０：ｎｏ）、Ｓ１０００の処理に戻って次のコマンドを受信するまで待機する
。
【０１４２】
その結果、ＡＴ遊技中である場合は（Ｓ１０４０：ｙｅｓ）、内部抽選結果伝達コマン
ドの内容に基づきベルの小役Ａ〜Ｆのいずれかに内部当選しているか否かを判断する（Ｓ
１０４２）。そして、ベルの小役Ａ〜Ｆのいずれかに内部当選していた場合は（Ｓ１０４
４：ｙｅｓ）、そのベルの小役に対応する押し順を、各種ランプ類１２、各種スピーカ１
４，１１４、演出表示装置１０、回胴バックライト２０Ｌなどを用いて報知する（Ｓ１０
４４）。尚、ベルの小役Ａ〜Ｆに対応する押し順は、ベルの小役Ａ〜Ｆに対応させて、サ
ブ制御基板２２０に搭載されているＲＯＭ２２２に予め記憶されている。   
【０１４３】
ベルの小役Ａ〜Ｆに対応する押し順が報知されると、遊技者は、ベルの小役Ａ〜Ｆに対
応する押し順を認識することができ、その押し順どおりに回胴停止ボタン３８ａ，３８ｂ
，３８ｃを操作することにより、効率的にベルの小役Ａ〜Ｆの入賞を成立させることがで
きる。その結果、ＡＴ遊技中は、遊技者は多量の遊技メダルを獲得することが可能となる
。この点について若干補足して説明する。
【０１４４】
ＢＢ遊技終了後のＡＴ遊技中に参照される抽選テーブルには、図９を用いて前述したよ
うに、半分以上の高い確率で、ベルの小役Ａ〜Ｆの何れかに内部当選する。しかし、これ
らベルの小役Ａ〜Ｆには固有の押し順が設定されており、回胴停止ボタン３８ａ，３８ｂ
，３８ｃを正しい押し順で操作しない限り、内部当選したベルの小役Ａ〜Ｆを入賞成立さ
せることはできない。そして遊技者は、正しい押し順はおろか、ベルの小役Ａ〜Ｆに内部
当選したことも分からないので、ＡＴ遊技中ではない通常の遊技状態では、内部当選した
ベルの小役Ａ〜Ｆを、ほとんど入賞成立させることができない（外れ図柄組合せを停止表
示する）。ところが、ＡＴ遊技になると、内部当選したベルの小役Ａ〜Ｆに対応する押し
順が報知されるので、半分以上の高い確率で内部当選するベルの小役Ａ〜Ｆを、ほとんど
全て入賞成立させることが可能となり、その結果、多量の遊技メダルを獲得することが可
能となるのである。
【０１４５】
ベルの小役Ａ〜Ｆのいずれかに対応する押し順を報知するか（Ｓ１０４４）、またはベ
ルの小役Ａ〜Ｆのいずれにも内部当選していないと判断すると（Ｓ１０４２：ｎｏ）、Ａ
Ｔカウンタから「１」を減算する処理を行う（Ｓ１０４６）。前述したようにＡＴカウン
タとは、ＡＴ遊技の終了契機を判断するために設定されるカウンタである。そして、ＡＴ
カウンタが「０」であるか否かの判断を行って（Ｓ１０４８）、ＡＴカウンタが「０」で
ある場合は（Ｓ１０４８：ｙｅｓ）、ＡＴ遊技を終了させるためにＡＴフラグをＯＦＦに
設定する（Ｓ１０５０）。すなわち、ＡＴ遊技中は（Ｓ１０４０：ｙｅｓ）、内部抽選結
果伝達コマンドを受信するたびに（遊技１回毎に）（Ｓ１０４０：ｙｅｓ）、ＡＴ遊技開
始時に加算された（Ｓ１０１８、Ｓ１０２６、Ｓ１０３６）ＡＴカウンタから「１」を減
算していき（Ｓ１０４６）、ＡＴカウンタの値が「０」になったら（Ｓ１０４８：ｙｅｓ
）、ＡＴフラグをＯＦＦに設定する（Ｓ１０５０）。この結果、ＡＴ遊技が開始された後
、ＡＴカウンタに設定された値と同じ回数の遊技が行われると、ＡＴ遊技が終了すること
になる。
【０１４６】
以上のとおり、発生するフリーズの態様に応じて、発生する確率が低いフリーズが実行
された場合程、多くのＡＴ遊技の遊技回数が加算される。ここで、上述のとおり、ＡＴ遊
技は、ＡＴカウンタの値と同じ回数の遊技だけ行われる。ただし、ＡＴ遊技中にＢＢ遊技
が開始された場合はＡＴフラグをＯＦＦに設定してＡＴ遊技を終了する（図２５のＳ１０
０４）。通常であれば、この際に、ＡＴ遊技の終了に併せてＡＴカウンタの値も「０」に
設定するところであるが、本実施例の遊技機１では、ＡＴカウンタの値を操作する処理は
行っていない。すなわち、ＡＴ遊技中にＢＢ遊技が開始されてＡＴ遊技が終了しても、Ａ
Ｔカウンタの値には残りのＡＴ遊技の遊技回数が設定されたままになっている。こうする
と、次にＡＴ遊技が開始する場合は、ＡＴカウンタに設定されたままの残りのＡＴ遊技の
遊技回数に、新たに実行されるフリーズに対応する遊技回数（５０回、１００回、２００
回）が加算されることになる。すなわち、「前回以前のＡＴ遊技の途中でＢＢ遊技が開始
されたために消化し切れなかったＡＴ遊技の遊技回数」と「新たにフリーズを実行させた
ために獲得したＡＴ遊技の遊技回数」とを合わせた遊技回数のＡＴ遊技が開始される。こ
れにより、遊技者に対して、次に開始されるＡＴ遊技の遊技回数を予測不能と感じさせる
ことができるので、該ＡＴ遊技への期待を大きくさせることができ、遊技者の遊技興趣を
高めることが可能となる。
【０１４７】
また、本実施例の遊技機１では、主制御基板２００のＣＰＵ２０１は、現在がＡＴ遊技
中か否かを把握していないので、ＡＴ遊技中か否かに拘らず、特殊期間が設定されてフリ
ーズが発生する。こうすると、ＡＴ遊技中でもＡＴ遊技の遊技回数が加算されるので（Ａ
Ｔカウンタの値に加算されるので）、遊技者に対して、ＡＴ遊技中であってもフリーズの
発生を期待させることができ、ＡＴ遊技中の遊技者の遊技興趣を高めることが可能となる
。
【０１４８】
尚、サブ制御基板２２０のＣＰＵ２２１が上述のような処理を行うことにより、フリー
ズの態様（フリーズＡ〜フリーズＣ）に応じた特典（ＡＴ遊技（５０回、１００回、２０
０回））が遊技者に付与される。従って、サブ制御基板２２０に搭載されているＣＰＵ２
２１は、本発明における「特典付与手段」に対応している。
【０１４９】
Ａ−５．第１実施例によって得られる遊技性  ：
図２７は、特殊期間の後にフリーズが発生して特典が付与されるまでの様子を例示した
説明図である。図２７に示すように、スイカの小役が入賞成立すると、４回の遊技から成
る特殊期間が開始される。特殊期間における遊技結果（特殊結果、再遊技役の入賞成立回
数）は記憶されており、該遊技結果に応じてフリーズの態様が決定される。そして、該態
様でフリーズが発生すると、今度は、発生したフリーズの態様に応じた価値（遊技回数）
の特典が付与される（ＡＴ遊技が開始される）。こうすると、遊技者に対して、たとえフ
リーズが発生しない特殊期間での遊技であっても、「特殊期間が終了した直後の遊技でフ
リーズを発生させるための遊技」であると感じさせることができるとともに、その遊技の
結果によっては該遊技結果（再遊技役の入賞成立）をフリーズが発生する前兆として感じ
させて、フリーズの発生に対する期待を高めさせたり、フリーズの態様を推測させたりす
ることが可能となり、遊技者の遊技興趣を高めることが可能となる。また、スイカの小役
の入賞が成立することにより特殊期間が開始されるので、特殊期間が開始される前の遊技
では該スイカの小役の入賞成立に遊技者の注目を引き付けることが可能となり、遊技者の
遊技興趣を盛り上げることが可能となる。
【０１５０】
Ｂ．第２実施例  ：
上述した第１実施例では、特殊期間中に再遊技役が入賞成立した回数に基づいて態様の
フリーズを実行し、該実行されたフリーズの態様に応じた特典を付与（ＡＴ遊技の遊技回
数を加算）するものとして説明した。これに対して、第２実施例では、特殊期間中にフリ
ーズの態様を決めるための抽選を行って、その結果に基いて決定された態様でフリーズを
発生させる。以下、第２実施例の回胴をフリーズさせるための処理について詳しく説明す
る。
【０１５１】
Ｂ−１．第２実施例の回胴をフリーズさせるための処理  ：
図２８は、第２実施例の回胴フリーズ処理を示すフローチャートである。この処理も、
図２３を用いて前述した第１実施例の回胴フリーズ処理と同様に、図７および図８を用い
て前述した遊技制御処理の中で（Ｓ１１４に相当）、主制御基板２００のＣＰＵ２０１に
よって実行される処理である。
【０１５２】
第２実施例の回胴フリーズ処理を開始すると、先ず、特殊フラグがＯＮに設定されてい
るか否か、すなわち、今回の遊技が特殊期間中に行われている遊技か否かの判断を行う（
Ｓ２０００）。その結果、今回の遊技が特殊期間中の遊技であると判断した場合は（Ｓ２
０００：ｙｅｓ）、フリーズの態様を決定するための処理（フリーズ決定処理）を行う（
Ｓ２００２）。
【０１５３】
図２９は、フリーズ決定処理を示すフローチャートである。フリーズ決定処理を開始す
ると、先ず初めに、特殊カウンタの値は「４」か否か、すなわち、今回の遊技が特殊期間
を開始してから４回目の遊技か、それとも１〜３回目の遊技かを判断する（Ｓ２１００）
。その結果、今回の遊技が特殊期間を開始してから１〜３回目の遊技である場合は（Ｓ２
１００：ｎｏ）、回胴をフリーズさせる時間（フリーズ時間）を抽選する処理を行う（Ｓ
２１０２）。
【０１５４】
図３０は、フリーズ時間抽選テーブルを概念的に示した説明図である。フリーズ時間を
抽選する処理は、該処理を開始するにあたってフリーズ時間抽選用の乱数値を取得して、
該取得した乱数値がフリーズ時間抽選テーブルのどの乱数範囲に含まれるかによって、フ
リーズ時間を決定する。図３０に示すように、全乱数範囲「０〜６５５３５」のうち、半
数にあたる「０〜３２７６７」の乱数範囲に「１０秒」が設定されており、残りの「３２
７６８〜６５５３５」の乱数範囲に「５秒」が設定されている。すなわち、フリーズ時間
の抽選を行うと、２分の１の確率で、「１０秒」または「５秒」に当選する。尚、フリー
ズ時間を抽選する際に取得する乱数は、内部抽選用の乱数を発生する構成（乱数発生回路
や乱数発生プログラム）をそのまま利用しても良いし、フリーズ時間の抽選専用の構成を
利用してもよい。
【０１５５】
フリーズ時間の抽選の結果、何れかのフリーズ時間に当選したら、該抽選結果（「１０
秒」に当選したか「５秒」に当選したか）を示す当選時間コマンドをサブ制御基板２２０
に送信する（Ｓ２１０４）。そして、主制御基板２００のＲＡＭ２０３の所定アドレスに
確保された「フリーズ時間記憶用の領域」（以下、「フリーズ時間領域」とも表記する）
に、当選したフリーズ時間を記憶する（Ｓ２１０６）。ここで、上述のように、フリーズ
時間の抽選は、特殊期間を開始してから１〜３回目の遊技で行われる（Ｓ２１００：ｎｏ
）。フリーズ時間の抽選で当選したフリーズ時間は、特殊期間を開始してからの１回目の
遊技では当選したフリーズ時間をそのままフリーズ時間領域に記憶するが、２回目、３回
目の遊技で当選したフリーズ時間は、既にフリーズ時間領域に記憶されているフリーズ時
間に加算して記憶する。例えば、１回目の遊技で「５秒」に当選した場合はフリーズ領域
に「５秒」が記憶され、２回目の遊技で「１０秒」に当選した場合はこの「１０秒」を既
に記憶されている「５秒」に加算して「１５秒」が記憶され、３回目の遊技で「５秒」に
当選した場合はこの「５秒」を既に記憶されている「１５秒」に加算して「２０秒」が記
憶される。すなわち、特殊期間を開始してから３回の遊技が終了するときには、３回の各
遊技で当選したフリーズ時間の合計がフリーズ時間領域に記憶される。詳しくは後述する
が、フリーズ時間領域に記憶されたフリーズ時間がフリーズを実行する時間となる。
【０１５６】
これに対して、特殊期間を開始してから４回目の遊技（特殊期間における最後の遊技）
である場合は（Ｓ２１００：ｙｅｓ）、回胴をフリーズさせる動作（フリーズ動作）を抽
選する処理を行う（２１０８）。
【０１５７】
図３１は、フリーズ動作抽選テーブルを概念的に示した説明図である。フリーズ動作を
抽選する処理は、該処理を開始するにあたってフリーズ動作抽選用の乱数値を取得して、
該取得した乱数値がフリーズ動作抽選テーブルのどの乱数範囲に含まれるかによって、フ
リーズ動作を決定する。図３１に示すように、全乱数範囲「０〜６５５３５」のうち、２
割程度にあたる「０〜１３０００」の乱数範囲に「逆回転」（通常回転と逆の方向に回転
する動作）のフリーズ動作が設定されており、３割程度にあたる「１３００１〜３３００
０」の乱数範囲に「低速正回転」（低速で通常回転と同じ方向に回転する動作）のフリー
ズ動作が設定されており、５割程度にあたる「３３００１〜６５５３５」の乱数範囲に「
静止」のフリーズ動作が設定されている。すなわち、フリーズ動作の抽選を行うと、最も
高い確率で「静止」のフリーズ動作に当選して、最も低い確率で「逆回転」のフリーズ動
作に当選する。尚、フリーズ動作を抽選する際に取得する乱数は、内部抽選用の乱数を発
生する構成（乱数発生回路や乱数発生プログラム）をそのまま利用しても良いし、フリー
ズ動作の抽選専用の構成を利用してもよい。
【０１５８】
フリーズ動作の抽選の結果、何れかのフリーズ動作に当選すると、該抽選結果を示す（
何れのフリーズ動作に当選したかが識別可能な）当選動作コマンドをサブ制御基板２２０
に送信する（Ｓ２１１０）。そして、主制御基板２００のＲＡＭ２０３の所定アドレスに
確保された「フリーズ動作記憶用の領域」（以下、フリーズ動作領域とも表記する）に、
当選したフリーズ動作を記憶する（Ｓ２１１２）。以上のとおり、特殊期間を開始してか
ら４回の遊技が行われると（特殊期間終了時には）、特殊期間を開始してから１〜３回目
の遊技での抽選結果に基づいてフリーズ時間領域にフリーズ時間が記憶され、特殊期間を
開始してから４回目の（特殊期間の最後の）遊技での抽選結果に基づいてフリーズ動作領
域にフリーズ動作が記憶される。すなわち、特殊期間における抽選の結果、フリーズ態様
（フリーズ時間およびフリーズ動作）が決定される（記憶される）。
【０１５９】
以上は、図２８のＳ２０００の処理で、今回の遊技が特殊期間であると判断された場合
（Ｓ２０００：ｙｅｓ）について説明した。これに対して、今回の遊技が特殊期間ではな
い場合は、フリーズ実行回フラグがＯＮに設定されているか否か、すなわち、今回の遊技
がフリーズを実行する遊技（特殊期間が終了した直後の遊技）か否かを判断する。その結
果、今回の遊技がフリーズを実行する遊技ではない場合は（Ｓ２００４：ｎｏ）、そのま
ま回胴フリーズ処理を終了して、図７および図８に示す遊技制御処理に復帰する。
【０１６０】
一方、今回の遊技がフリーズを実行する遊技である場合は（Ｓ２００４：ｙｅｓ）、フ
リーズを実行するか否かの抽選（フリーズ実行抽選）を行う（Ｓ２００６）。このフリー
ズ実行抽選は２分の１の確率で当選するように設定されており、当選した場合にフリーズ
を実行する。すなわち、前述のように特殊期間中にフリーズ態様を決定していたとしても
、２分の１の確率でしかフリーズは実行されない。
【０１６１】
フリーズ実行抽選を終了すると、今度は、該フリーズ実行抽選に当選したか否かの判断
を行う（Ｓ２００８）。その結果、フリーズ実行抽選に落選したと判断すると（Ｓ２００
８：ｎｏ）、落選コマンドをサブ制御基板２２０に向けて送信する（Ｓ２０１６）。一方
、フリーズ実行抽選に当選したと判断すると（Ｓ２００８：ｙｅｓ）、前述した特殊期間
中に、フリーズ時間領域に記憶した「フリーズ時間」およびフリーズ動作領域に記憶した
「フリーズ動作」（すなわち、特殊期間中の抽選で決定したフリーズ態様）を把握する（
Ｓ２０１０）。その後、決定したフリーズ態様でフリーズを行うことを示す（フリーズ態
様が識別可能な、例えば、「フリーズ時間」および「フリーズ動作」が識別可能な）フリ
ーズ実行コマンドをサブ制御基板２２０に向けて送信して（Ｓ２０１２）、「決定したフ
リーズ態様」でフリーズを実行する（Ｓ２０１４）。すなわち、「特殊期間中の抽選で決
定したフリーズ時間」が経過するまで、回胴に「特殊期間中の抽選で決定したフリーズ動
作」を行わせる。尚、フリーズ態様のパターン（フリーズ時間とフリーズ動作との組合せ
）については後に詳しく説明する。
【０１６２】
フリーズを実行すると（Ｓ２０１４）、または落選コマンドを送信すると（Ｓ２０１６
）、フリーズを行う遊技は今回だけ（特殊期間を終了した直後の遊技だけ）なので、フリ
ーズ実行回フラグをＯＦＦに設定して（Ｓ２０１８）、次回の特殊期間におけるフリーズ
時間の加算記憶に備えて、フリーズ時間領域に記憶されている値を「０」に設定する（Ｓ
２０２０）。その後、回胴フリーズ処理を終了して、図７および図８に示す遊技制御処理
に復帰する。
【０１６３】
以上のように、特殊期間中に抽選によってフリーズ態様（フリーズ時間およびフリーズ
動作）を決定するとともに、特殊期間が終了した直後の遊技でフリーズ実行抽選に当選す
れば、特殊期間中に決定したフリーズ態様で、フリーズが実行される。尚、主制御基板２
００のＣＰＵ２０１が上述のような処理を行うことにより、フリーズを実行するか否かの
抽選を行っている。従って、主制御基板２００に搭載されたＣＰＵ２０１は、本発明にお
ける「発生可否決定手段」に対応している。
【０１６４】
Ｂ−２．第２実施例の演出制御処理  ：
次に、第２実施例の演出制御処理について説明する。第２実施例の演出制御処理では、
特殊期間中のフリーズ時間やフリーズ動作の抽選結果に応じた演出処理が行われるととも
に、フリーズ態様のパターンに応じた特典を付与する処理が行われる。
【０１６５】
図３２は、サブ制御基板２２０が実行する第２実施例の演出制御処理を示すフローチャ
ートである。サブ制御基板２２０は、演出制御処理を開始すると、先ず初めに第１実施例
と同様に、主制御基板からコマンドを受信したか否かを確認して（Ｓ２２００）、ＢＢ遊
技開始コマンドを受信していれば（Ｓ２２０２：ｙｅｓ）、ＡＴフラグをＯＦＦに設定し
た後（Ｓ２２０４）、ＢＢ遊技用の演出を開始する（Ｓ２２０６）。また、ＢＢ遊技終了
コマンドを受信していれば（Ｓ２２０８：ｙｅｓ）、ＢＢ遊技用の演出を終了する（Ｓ２
２１０）。
【０１６６】
受信したコマンドがＢＢ遊技終了コマンドではないと判断した場合は（Ｓ２２０８：ｎ
ｏ）、今度は、受信したコマンドが当選時間コマンドか否かを判断する（Ｓ２２１２）。
当選時間コマンドは、前述のとおり、特殊期間中にフリーズ時間の抽選が行われると送信
されるコマンドであり、該抽選の結果（何れのフリーズ時間に当選したか）を示すコマン
ドである。当選時間コマンドを受信した場合は（Ｓ２２１２：ｙｅｓ）、当選したフリー
ズ時間に応じた演出を実行する（Ｓ２２１４）。例えば、フリーズ時間の抽選で「１０秒
」または「５秒」に当選した旨や、今回の遊技までに蓄積されたフリーズ時間の合計を遊
技者に報知する演出が行われる。
【０１６７】
受信したコマンドが当選動作コマンドである場合は（Ｓ２２１６：ｙｅｓ）、フリーズ
動作に当選した旨を遊技者に報知する演出を実行する（Ｓ２２１８）。すなわち、前述し
たように、当選動作コマンドは特殊期間でのフリーズ動作の抽選が行われると送信される
コマンドであり、該抽選の結果（何れのフリーズ動作に当選したか）を示すコマンドであ
る。そこで、Ｓ２２１８の処理では、今回の抽選で当選したフリーズ動作を遊技者に報知
する演出を実行する。
【０１６８】
一方、受信したコマンドがフリーズ実行コマンドである場合は（Ｓ２２２０：ｙｅｓ）
、フリーズ用の演出を実行する（Ｓ２２２２）。フリーズ実行コマンドは、前述のとおり
、フリーズを実行する際に送信されるコマンドであり、実行するフリーズの態様（「フリ
ーズ時間」および「フリーズ動作」）を識別することが可能なコマンドである。サブ制御
基板２２０のＣＰＵ２２１は、フリーズ実行コマンドを受信すると、このコマンドから識
別できるフリーズ態様に対応するフリーズ用の演出を実行する。そして、ＡＴ遊技を開始
するべくＡＴフラグをＯＮに設定した後、ＡＴ遊技を行う遊技の回数をＡＴカウンタの値
に設定する。ＡＴカウンタの値に設定する遊技の回数について、以下に説明する。
【０１６９】
図３３は、フリーズ態様に対応させてＡＴ遊技回数が設定されたＡＴ遊技回数設定テー
ブルを概念的に示す説明図である。ＡＴ遊技回数設定テーブルは、サブ制御基板２２０に
搭載されているＲＡＭ２２３に記憶されている。図３３に示すようにフリーズの態様のパ
ターンとしては、４種類のフリーズ時間（特殊期間が開始してからの１〜３回目の遊技で
のフリーズ時間の抽選結果の合計）毎に３種類のフリーズ動作（特殊期間が開始してから
４回目の遊技でのフリーズ動作の抽選結果）が設定されており、合計で１２種類のパター
ンが存在する。そして、ＡＴ遊技回数設定テーブルには、これらのフリーズ態様のパター
ンに対応させてＡＴ遊技の回数が設定されている。また、フリーズ時間が長いほど（フリ
ーズ時間の抽選で「１０秒」に当選した回数が多いほど）、且つ、フリーズ動作の抽選で
の当選確率が低いフリーズ動作ほど、多くのＡＴ遊技の回数が設定されている。Ｓ２２２
６の処理では、このＡＴ遊技回数設定テーブルが参照されて、実行するフリーズの態様（
フリーズ時間およびフリーズ動作）に対応するＡＴ遊技の回数がＡＴカウンタの値として
設定される。
【０１７０】
図３２のＳ２２２０の処理でフリーズ実行コマンドではないと判断すると（Ｓ２２２０
）、今度は、受信したコマンドが落選コマンドであるか否かを判断する（Ｓ２２２８）。
その結果、落選コマンドを受信した場合には（Ｓ２２２８：ｙｅｓ）、該落選コマンドに
対応する演出を実行する（Ｓ２２３０）。すなわち、前述したように、落選コマンドはフ
リーズ実行抽選に落選した際に送信されるコマンドであり（図２８のＳ２０１６）、Ｓ２
２３０の処理では該フリーズ実行抽選に落選した旨を（フリーズを行わないことを）示す
演出を実行する遊技者に報知する演出を実行する。尚、受信したコマンドが落選コマンド
でもなかった場合は（Ｓ２２２８：ｎｏ）、ＡＴ遊技を実行するための処理が行われるが
、第１実施例で既に説明した処理（図２６のＳ１０３８以降の処理）と同様なので、その
説明を省略する。
【０１７１】
以上のように、特殊期間における遊技結果（特殊結果、フリーズ態様を決定するための
抽選）に応じて、フリーズの態様が決定するので、遊技者に対して、たとえフリーズが発
生しない特殊期間での遊技であっても、「特殊期間が終了した直後の遊技でフリーズを発
生させるための遊技」であると感じさせることができるとともに、その遊技の結果によっ
ては該遊技結果（抽選結果の報知）をフリーズが発生する前兆として感じさせて、フリー
ズの発生に対する期待を高めさせたり、フリーズの態様を推測させたりすることが可能と
なり、遊技者の遊技興趣を高めることが可能となる。また、フリーズ態様を決定するため
の抽選が行われるたびにその結果を遊技者に報知することにより、特殊期間中にフリーズ
態様が決まっていく過程を遊技者に認識させて遊技者の期待を高揚させることができるの
で、遊技者の注目を特殊期間での遊技にさらに引き付けることができ、遊技興趣を高める
ことが可能となる。また、フリーズ態様が決定したとしても、フリーズ態様の内容に拘ら
ず、フリーズ実行抽選の結果に応じてフリーズの実行の可否が決定する。これにより、遊
技者に対して、特殊期間経過後のフリーズが開始される瞬間に（フリーズの実行が開始さ
れるか否かに）注目を引き付けることができるとともに、実際にフリーズが開始された場
合は遊技者に高揚感を与えることができ、遊技者の遊技興趣を高めることが可能となる。
さらに、実行されるフリーズ態様に応じてＡＴ遊技の遊技回数が決定するので、遊技者の
注目を実行されるフリーズの態様に引き付けることができ、遊技者の遊技興趣を高めるこ
とが可能となる。尚、サブ制御基板２２０のＣＰＵ２２１が上述の処理を行うことにより
、決定された時間（フリーズの発生時間が定まっていく課程）を遊技者に対して報知して
いる。従って、サブ制御基板２２０に搭載されているＣＰＵ２２１は、本発明における「
決定時間報知手段」に対応している。
【０１７２】
Ｃ：変形例  ：
以上、本発明について各種の実施の形態を説明したが、本発明はこれに限定されるもの
ではなく、各請求項に記載した範囲を逸脱しない限り、各請求項の記載文言に限定されず
、当業者がそれらから容易に置き換えられる範囲にも及び、かつ、当業者が通常有する知
識に基づく改良を適宜付加することができる。
【０１７３】
上述した実施例では、スイカの小役の入賞成立を契機として特殊期間を開始する構成と
したが、スイカの小役を入賞成立させることができなくても、スイカの小役が内部当選し
ていれば特殊期間を開始するようにしても良い。また、その他の遊技役の内部当選や入賞
成立を契機として特殊期間を開始するようにしても良いし、ＢＢ遊技などの遊技状態の終
了を契機に開始するようにしても良いし、これらの契機から所定回数の遊技を行うと開始
するようにしても良い。
【０１７４】
また、上述した実施例では、スイカの小役の入賞が成立すると、ＢＢ遊技中または特殊
期間中以外は、特殊期間を開始する構成としたが、特殊期間の開始契機として挙げた上述
の機会に特殊期間を開始するか否かの抽選を行って、該抽選に当選した場合に特殊期間を
開始するようにしても良い。こうすると、該機会での特殊期間が開始するか否かに遊技者
の注目を引き付けることができ、遊技者の遊技興趣を高めることが可能となる。
【０１７５】
また、上述した実施例では、特殊期間の継続回数（遊技の回数）は、一定の回数（４回
）としたが、該継続回数を抽選で決定するようにしてもよい。例えば、該継続回数を４回
、８回、１２回から抽選によって選択するようにしても良い。こうすると、何れの継続回
数かを認識または推測できる遊技（例示した構成の場合は、特殊期間が開始してから４回
目（または８回目の）の遊技で特殊期間が終了するか否か）に遊技者の注目を引き付ける
ことができるとともに遊技の多様化を図ることができるので、遊技者の遊技興趣を高める
ことが可能となる。
【０１７６】
また、上述した実施例では、特殊期間の継続回数（遊技の回数）は、一定の回数（４回
）としたが、特殊期間中に所定の条件が成立すると特殊期間を延長するように構成しても
良い。例えば、特殊期間中に所定の遊技役（スイカの小役）に内部当選または入賞すると
、特殊期間の継続回数が所定回数増加するように構成しても良い。こうすると、遊技者に
対して、特殊期間でのフリーズの発生を目指す遊技を行わせながらも特殊期間の延長を目
指す遊技を行わせることができ、特殊期間中の遊技者の遊技興趣を高めることが可能とな
る。
【０１７７】
また、上に挙げた特殊期間の開始契機のうち複数の契機で特殊期間を開始するようにし
て、該特殊期間の継続回数は契機に応じて決定するようにしても良い。例えば、複数の遊
技役の内部当選または入賞成立を契機として、特殊期間を開始するようにして、該特殊期
間の継続回数は何れの遊技役が内部当選または入賞成立したかに応じて決定するようにし
ても良い。こうすると、遊技者に対して、特殊期間の継続回数を認識しようとさせて、内
部当選または入賞成立するのは何れの遊技役かに注目を引き付けることができるので、遊
技者の遊技興趣を高めることが可能となる。
【０１７８】
また、上述した実施例では、遊技者は、スイカの小役の入賞成立を認識することにより
特殊期間の開始を認識することが可能であるが、特殊期間の開始を遊技者に認識できない
ようにしても良い。例えば、遊技を行うたびに特殊期間を開始するか否かを抽選で決定し
、その結果は、遊技者には報知しないようにしても良い。こうすると、遊技者に対して、
実際は特殊期間ではない遊技でも、もしかしたら特殊期間かもしれないと感じさせること
ができ、遊技者の遊技興趣を高めることが可能となる。
【０１７９】
また、上述した実施例では、特殊期間が開始しても遊技状態は移行せず通常遊技のまま
である構成としたが、特殊期間が開始するときに通常遊技より遊技者に有利な遊技状態に
移行する構成としても良い。例えば、特殊期間が開始すると再遊技役の入賞確率が通常遊
技より高くなるＲＴ遊技（遊技媒体（遊技メダル）の使用量（消費量）を抑えながら遊技
を進行可能な遊技状態）に移行するように構成しても良い。こうすると、遊技者に対して
、特殊期間でのフリーズの発生を目指す遊技を行わせながらも、通常遊技よりも有利な遊
技状態での遊技を楽しませることができるので、特殊期間中の遊技者の遊技興趣を高める
ことが可能となる。
【０１８０】
また、上述した実施例では、特殊期間の直後の遊技でフリーズの実行をすることとした
が、特殊期間が終了した後、所定の条件が成立したときに（特殊期間から所定回数の遊技
が経過した後の遊技や、特殊期間後に所定の遊技役の入賞成立があった後の遊技で）フリ
ーズを実行してもよい。例えば、特殊期間が終了した後、チェリーの小役の入賞成立があ
ったときにフリーズを実行するように構成しても良い。こうすると、特殊期間を終了して
から所定の条件が成立するまでの遊技（チェリーの小役の入賞成立があるまでの遊技）で
、遊技者に所定の条件の成立に注目させることができるとともにフリーズの発生に期待さ
せることできるので、遊技者の遊技興趣を高めることが可能となる。
【０１８１】
また、上述した第２実施例では、フリーズ時間の抽選では、必ず「１０秒」または「５
秒」に当選するものとしたが、所定の確率で「０秒」に当選する（何れの時間にも当選し
ない、フリーズ時間を加算しない）ように構成してもよい。
【０１８２】
また、上述した第２実施例では、「フリーズ実行コマンド」に、実行するフリーズ態様
を識別できる情報を含ませておき、サブ制御基板２２０のＣＰＵ２２１は、該「フリーズ
実行コマンド」を受信することにより、実行するフリーズの態様を把握するようにした。
これに代えて、サブ制御基板２２０のＣＰＵ２２１は、フリーズ時間またはフリーズ動作
の抽選が行われるたびに受信する「当選時間コマンド」および「当選動作コマンド」から
フリーズ時間およびフリーズ動作を識別してフリーズ態様を把握するように構成しても良
い。
【０１８３】
また、上述した実施例では、特殊期間中の遊技結果に応じてフリーズの態様を決定し、
該フリーズの態様に応じて特典の内容を決定したが、これに代えて、フリーズの態様だけ
でなく特典についても特殊期間中の遊技結果に応じて決定するように構成しても良い。
【０１８４】
また、上述した第２実施例では、図２９を用いて前述したように、特殊期間中にフリー
ズ時間抽選で当選した時間を加算してく構成としたが、特殊期間中に所定の小役に入賞す
るとフリーズ時間を加算していく（変化させていく）構成としても良い。また、予め最大
のフリーズ時間を設定しておき、フリーズ時間抽選で当選した時間を該フリーズ時間から
減算していく構成としても良い。さらに、予め最大のフリーズ時間を設定しておき、特殊
期間中に所定の小役が入賞すると該フリーズ時間から所定の時間を減算していく構成とし
ても良い。この構成について、以下に説明する。
【０１８５】
図３４は、上述の別例のフリーズ決定処理を示すフローチャートである。本別例のフリ
ーズ決定処理は、上述したように、予め設定されている最大のフリーズ時間から、特殊期
間中に所定の小役が入賞すると該フリーズ時間から所定の時間を減算していく処理である
。すなわち、特殊期間中の遊技ごとに所定の小役が入賞したか否かを把握する必要がある
ので、少なくとも回胴が停止表示された後（所定の小役が入賞したか否かを判断できる状
態になってから）、に行われる。仮に図７に示すような遊技制御処理を行うのであれば、
回胴回転停止処理（S１１８）より後に行われる。
【０１８６】
本別例のフリーズ決定処理を開始すると、先ず初めに、今回の遊技が特殊期間の遊技か
否かを判断する（Ｓ３０００）。そして、特殊期間の遊技であれば（Ｓ３０００：ｙｅｓ
）、今度は、今回の遊技で所定の小役が入賞したか否かを判断する（Ｓ３００２）。その
結果、所定の小役が入賞している場合は（Ｓ３００２：ｙｅｓ）、次の処理を行う。すな
わち、この場合は（Ｓ３０００：ｙｅｓ、Ｓ３００２：ｙｅｓ）、特殊期間中に所定の小
役が入賞したということであるので、先ず、フリーズ時間領域に記憶されているフリーズ
時間を読み出す（Ｓ３００４）。フリーズ時間領域は、主制御基板２００のＲＡＭ２０３
に確保された領域であり、該領域には、特殊期間が開始されると予め設定されているデフ
ォルト時間（最大のフリーズ時間、ここでは２０秒）が記憶される。従って、特殊期間が
開始してから最初に所定の小役が入賞した遊技では、Ｓ３００４の処理で、デフォルト時
間が読み出される。そして、デフォルト時間（２０秒）から、減算用の時間（ここでは、
５秒）を減算して（Ｓ３００６）、その結果（１５秒）を、フリーズ時間領域に記憶させ
る（Ｓ３００８）。特殊期間中の次以降の遊技で小役が入賞したら、今度は、この減算結
果（１５秒）がフリーズ時間領域から読み出されて（Ｓ３００４）、５秒減算された後（
Ｓ３００６）、その結果（１０秒）が再びフリーズ時間領域に記憶される（Ｓ３００８）
。従って、特殊期間が終了するときには、小役の入賞回数分の減算用の時間が、デフォル
ト時間から減算された時間が、フリーズ時間領域に記憶される。
【０１８７】
特殊期間終了後は、フリーズ時間領域に記憶された時間（フリーズ時間）の長さのフリ
ーズが実行される。すなわち、特殊期間が４回であり、デフォルト時間が２０秒、減算用
の時間が５秒である場合は、特殊期間が終了するときには、フリーズ時間として「２０秒
（所定の小役の入賞が０回の場合）」、「１５秒（所定の小役の入賞が１回の場合）」、
「１０秒（所定の小役の入賞が２回の場合）」、「５秒（所定の小役の入賞が３回の場合
）」、「０秒（所定の小役の入賞が４回の場合）」の何れかがフリーズ時間領域に記憶さ
れており、それぞれの長さのフリーズが実行される。フリーズが実行されると、フリーズ
の長さに応じて、フリーズが長い方が有利な特典が付与される。例えば、２０秒のフリー
ズが発生すると利益の大きい特典が、１５秒または１０秒のフリーズが発生すると利益の
大きさが中程度の特典が、５秒のフリーズが発生するまたはフリーズが発生しない（０秒
のフリーズが発生）場合は利益の小さい特典が付与される。
【０１８８】
以上のように本別例は構成されているので、遊技者に対して、特殊期間では、フリーズ
を発生させるために所定の小役を回避しながら遊技を進行させるという斬新な遊技性を実
現すること可能となり、遊技者の遊技興趣を高めることが可能となる。
【０１８９】
また、上述した実施例では、フリーズさせる遊技機能は回胴の通常回転を開始する機能
としたが、これに限定されず、他の遊技機能をフリーズさせても良い。例えば、回胴の通
常回転を停止させる機能をフリーズさせても良い（回胴の通常回転後に回胴停止ボタンを
有効化するのを遅延させても良い）。この場合は、特殊期間中の遊技結果に応じて、回胴
停止ボタンへの操作が無効である時間や、前記有効化するのを遅延させる回胴停止ボタン
の数を設定するようにしても良い。例えば、付与される特典が大きいほど、回胴停止ボタ
ンへの操作が無効である時間を長くする構成や、操作が有効化するのを遅延させる回胴停
止ボタンの数を増やす構成としても良い。
【産業上の利用可能性】
【０１９０】
本発明は、遊技ホールで用いられる回胴式遊技機に利用することができる。
【符号の説明】
【０１９１】
１…回胴式遊技機（遊技機）、２０ａ，２０ｂ，２０ｃ…回胴、３６…スタートレバ
ー（回転開始部材）、３８ａ，３８ｂ，３８ｃ…回胴停止ボタン（回転停止部材）、２０
０…主制御基板、２０１…ＣＰＵ（特殊期間発生手段、発生時間設定手段、機能停止状態
発生手段、発生可否決定手段）、２２０…サブ制御基板、２２１…ＣＰＵ（特典付与手段
、決定時間報知手段）
【図１】
2014028206.tif 000003
【図２】
2014028206.tif 000004
【図３】
2014028206.tif 000005
【図４】
2014028206.tif 000006
【図５】
2014028206.tif 000007
【図６】
2014028206.tif 000008
【図７】
2014028206.tif 000009
【図８】
2014028206.tif 000010
【図９】
2014028206.tif 000011
【図１０】
2014028206.tif 000012
【図１１】
2014028206.tif 000013
【図１２】
2014028206.tif 000014
【図１３】
2014028206.tif 000015
【図１４】
2014028206.tif 000016
【図１５】
2014028206.tif 000017
【図１６】
2014028206.tif 000018
【図１７】
2014028206.tif 000019
【図１８】
2014028206.tif 000020
【図１９】
2014028206.tif 000021
【図２０】
2014028206.tif 000022
【図２１】
2014028206.tif 000023
【図２２】
2014028206.tif 000024
【図２３】
2014028206.tif 000025
【図２４】
2014028206.tif 000026
【図２５】
2014028206.tif 000027
【図２６】
2014028206.tif 000028
【図２７】
2014028206.tif 000029
【図２８】
2014028206.tif 000030
【図２９】
2014028206.tif 000031
【図３０】
2014028206.tif 000032
【図３１】
2014028206.tif 000033
【図３２】
2014028206.tif 000034
【図３３】
2014028206.tif 000035
【図３４】
2014028206.tif 000036